(57)【要約】【課題】ユーザーの動作方向に連動して提示する画像を変更する機器が出力指示を受け付けた場合に、出力可能な画像を出力することができる情報処理装置を提供する。【解決手段】情報処理装置の制御手段は、ユーザーの動作方向に連動して該ユーザーの視野に提示する画像を変更する機器が出力指示を受け付けた場合、該出力指示を受けたときに該ユーザーの視野に向けて提示している領域の第１の画像と該領域外の第２の画像とを含む画像を出力するように制御する。【選択図】図１
2019105893.tif 000002
【特許請求の範囲】
【請求項１】
ユーザーの動作方向に連動して該ユーザーの視野に提示する画像を変更する機器が出力指示を受け付けた場合、該出力指示を受けたときに該ユーザーの視野に向けて提示している領域の第１の画像と該領域外の第２の画像とを含む画像を出力するように制御する制御手段
を有する情報処理装置。
【請求項２】
前記制御手段は、前記第１の画像と第２の画像とを含む画像の電子画像ファイルを生成するモジュールに対して、該第１の画像と第２の画像とを含む画像を出力する、
請求項１に記載の情報処理装置。
【請求項３】
前記制御手段は、前記第１の画像と第２の画像とを含む画像から３次元立体物を生成するモジュールに対して、該第１の画像と第２の画像とを含む画像を出力する、
請求項１に記載の情報処理装置。
【請求項４】
前記ユーザーに向けて提示している領域内に３次元データが含まれている場合は、少なくとも該３次元データを出力先に出力する、
請求項３に記載の情報処理装置。
【請求項５】
前記制御手段は、前記第１の画像と第２の画像とを含む画像を２次元記録媒体上に印刷するモジュールに対して、該第１の画像と第２の画像とを含む画像を出力する、
請求項１に記載の情報処理装置。
【請求項６】
前記出力指示を受け付けた場合、前記２次元記録媒体に出力する画像形式を縁なしとする、
請求項５に記載の情報処理装置。
【請求項７】
前記出力指示を受け付けた場合、出力先が縁なし印刷可能であるか否かに応じて、前記２次元記録媒体に出力する画像形式を決定する、
請求項５に記載の情報処理装置。
【請求項８】
前記出力指示を受け付けた場合、出力先が縁なし印刷可能である場合は、前記２次元記録媒体に出力する画像形式を縁なしとする、
請求項７に記載の情報処理装置。
【請求項９】
前記出力指示を受け付けた場合、出力先が縁なし印刷可能ではない場合は、前記２次元記録媒体に出力する画像形式を縁ありとする、
請求項７に記載の情報処理装置。
【請求項１０】
前記第２の画像は、前記出力指示を受けたときに提示可能であったが、前記ユーザーの視野に入っていない画像である、
請求項１に記載の情報処理装置。
【請求項１１】
前記第２の画像は、前記第１の画像の左側、右側、上側、下側のいずれか１つ以上の位置にある画像である、
請求項１０に記載の情報処理装置。
【請求項１２】
前記制御手段は、前記第１の画像と第２の画像とを含む画像を出力する場合、該第１の画像と該第２の画像とを区別して出力する、
請求項１１に記載の情報処理装置。
【請求項１３】
前記制御手段は、前記第１の画像のいずれの方向に前記第２の画像を配置するかを決定する、
請求項１に記載の情報処理装置。
【請求項１４】
前記制御手段は、前記第１の画像の位置を決定し、該位置の周辺に前記第２の画像を配置する、
請求項１に記載の情報処理装置。
【請求項１５】
前記機器が提示する画像の表示領域の縁に画像非表示領域が存在する場合に、前記出力指示を受け付けると、縁あり画像を優先的に出力する、
請求項１に記載の情報処理装置。
【請求項１６】
前記機器が提示する画像の表示領域の縁に画像非表示領域が存在しない場合に、前記出力指示を受け付けると、縁なし画像を優先的に出力する、
請求項１に記載の情報処理装置。
【請求項１７】
前記ユーザーの視野に向けて提示している領域の第１の画像又は前記領域外の第２の画像の何れか１つにのみ縁なし画像が存在する場合、前記出力の設定の問い合わせを行う、
請求項１に記載の情報処理装置。
【請求項１８】
前記ユーザーの視野の前記領域外の第２の画像に一様な画像が存在する場合、前記出力の警告の通知を行う、
請求項１に記載の情報処理装置。
【請求項１９】
前記ユーザーに出力指示された画像に出力に不適格な画像が含まれる場合、該不適格な画像を除いて出力する、
請求項１に記載の情報処理装置。
【請求項２０】
コンピュータを、
ユーザーの動作方向に連動して該ユーザーの視野に提示する画像を変更する機器が出力指示を受け付けた場合、該出力指示を受けたときに該ユーザーの視野に向けて提示している領域の第１の画像と該領域外の第２の画像とを含む画像を出力するように制御する制御手段
として機能させるための情報処理プログラム。
【発明の詳細な説明】
【技術分野】
【０００１】
本発明は、情報処理装置及び情報処理プログラムに関する。
【背景技術】
【０００２】
特許文献１には、ウェアラブルコンピューティングデバイスは、バーチャルリアリティ環境を生成するヘッドマウントディスプレイ（ＨＭＤ）を含み、位置データの生成及び追跡を通じて、バーチャル環境に割り込むか、又は一時停止することができ、環境を一時停止すると、使用者は、バーチャル環境の標準動作中にはさもなければ利用できない多くの補助的メニュー及び制御にアクセスできることが開示されている。
【０００３】
特許文献２には、従来の姿勢角検出装置の一体化されているバーチャルリアリティ用のヘッドマウントディスプレイはコストが高く、装置自体も大掛かりなものが多く、そのために一般購買層への普及が難しいものとなっており、既存装置であるヘッドマウントディスプレイに、新しい機能「姿勢角検出機能」を追加することを課題とし、非常に価格帯が高く設定されているヘッドマウントディスプレイ装置へ、姿勢角検出装置を安価で追加でき、またバーチャルリアリティ技術においては確信的臨場感を追加することができ、安価に機能拡張できるため、バーチャルリアリティ技術の一般購買層への普及が見込まれ、これにより映像産業、娯楽産業、電子産業などの分野への活性化が期待できることが開示されている。
【０００４】
特許文献３には、ヘッドマウントディスプレイの予測追跡のための方法及びその装置を提供することを課題とし、ヘッドマウントディスプレイを監視するセンサーから１つ又は複数の三次元角速度測定値を得るステップと、ヘッドマウントディスプレイが実質的に静止している場合に予測間隔が実質的にゼロであり、かつ、ヘッドマウントディスプレイが所定の閾値以上の角速度で移動していることが示される場合に予測間隔が所定遅延間隔まで増大するように、１つ又は複数の三次元角速度測定値に基づいて予測間隔を設定するステップとを含み、さらに予測間隔に対応する時点における予測方位を生成するためにヘッドマウントディスプレイの三次元方位を予測するステップと、ヘッドマウントディスプレイ上の表示のために、予測方位に対応する作成映像を生成するステップとを含むことが開示されている。
【０００５】
特許文献４には、映像への没入感と映像操作の利便性を向上させる、ヘッドマウントディスプレイ及び入力装置を備える表示制御装置及び表示制御方法を提供することを課題とし、表示制御装置は、視点位置及び視線方向を設定して仮想空間の画像を生成し、ヘッドマウントディスプレイに表示させる表示制御部と、ヘッドマウントディスプレイを装着したユーザーの周囲の空間に存在する物体の位置に関する情報を取得する空間情報取得部と、ヘッドマウントディスプレイと物体との間の距離が所定値未満になった場合に、物体がユーザーの周囲に存在することをユーザーに報知する報知部とを備えることが開示されている。
【０００６】
特許文献５には、ヘッドマウントディスプレイを装着した状態ではユーザーは手元が見えず、コントローラーの操作などには困難がともなうことを課題とし、角度情報取得部は、ヘッドマウントディスプレイを装着したユーザーの頭部の回転角に関する情報を取得し、視線方向変更部は、頭部の回転角に関する情報に基づいて、パノラマ画像を見る視線方向を変更し、パノラマ画像処理部は、変更された視線方向から見たパノラマ画像を生成し、画像提供部は、生成されたパノラマ画像データをヘッドマウントディスプレイに供給することが開示されている。
【０００７】
特許文献６には、ヘッドマウントディスプレイのユーザーの利便性を向上させることを課題とし、ゲーム装置は、ヘッドマウントディスプレイを頭部に装着したユーザーが使用する入力装置と、ヘッドマウントディスプレイとの間の相対位置に基づいて、仮想三次元空間に配置されたオブジェクトの位置を制御する位置制御部と、オブジェクトを含む仮想三次元空間の画像を生成し、ヘッドマウントディスプレイに表示させる表示制御部とを備え、位置制御部は、入力装置とヘッドマウントディスプレイの間の距離が第１の距離以上である場合、入力装置の位置の変化に応じてオブジェクトの位置を線形的に変化させ、入力装置とヘッドマウントディスプレイの間の距離が第１の距離未満である場合、距離が第１の距離以上である場合とは異なる基準にしたがってオブジェクトの位置を決定することが開示されている。
【０００８】
特許文献７には、仮想空間へのユーザーの没入感を損なうことなく、映像酔いを低減させることができる仮想空間の提供方法及びプログラムが提供することを課題とし、非透過型のヘッドマウントディスプレイにユーザーが没入する仮想空間を提供する方法は、仮想空間を構成する仮想空間画像のうち、ユーザーが視認可能な視野画像を生成するステップと、ヘッドマウントディスプレイの動きと同期して視野画像を更新するステップと、ヘッドマウントディスプレイの動きと同期せずに視野画像を更新する場合に、ユーザーの視線を誘導するための視線誘導領域を生成し、視線誘導領域が視野画像の一部を隠すように視線誘導領域と視野画像とをヘッドマウントディスプレイに表示させるステップと、を含むことが開示されている。
【０００９】
特許文献８には、仮想空間へのユーザーの没入感を損なうことなく、映像酔いを低減させることができる仮想空間の提供方法及びプログラムが提供することを課題とし、非透過型のヘッドマウントディスプレイにユーザーが没入する仮想空間を提供する方法は、仮想空間を構成する仮想空間画像のうち、ユーザーが視認可能な視野画像を生成するステップと、ヘッドマウントディスプレイの動きと同期して視野画像を更新するステップと、ヘッドマウントディスプレイの動きと同期せずに視野画像を更新する場合に、ユーザーの視線を誘導するための視線誘導領域を生成し、視線誘導領域が視野画像の一部を隠すように視線誘導領域と視野画像とをヘッドマウントディスプレイに表示させるステップと、を含むことが開示されている。
【００１０】
特許文献９には、ネットワークを介してヘッドマウントディスプレイにクラウドサービスを提供する画像生成装置であって、ヘッドマウントディスプレイに搭載された位置センサーにより取得された前記ヘッドマウントディスプレイを装着するユーザーの位置の情報を受信する位置情報受信部と、複数のユーザー間の位置関係に基づいて前記複数のユーザーのキャラクタの位置関係を決定する位置関係処理部と、決定されたキャラクタの位置関係に基づいて前記複数のユーザーのキャラクタを仮想空間に配置し、仮想空間をレンダリングする３次元レンダリング部と、レンダリングされた仮想空間の情報を前記ヘッドマウントディスプレイに送信する描画データ送信部とを含み、前記位置関係処理部は、前記複数のユーザー間の現実の距離に応じて前記仮想空間における前記複数のユーザーのキャラクタ間の距離を決定することが開示されている。
【００１１】
特許文献１０には、ヘッドマウントディスプレイのユーザーの利便性を向上させることを課題とし、ゲーム装置は、ヘッドマウントディスプレイを頭部に装着した第１のユーザーが使用する第１の入力装置から、入力された指示を示す情報を取得し、表示装置を見ることが可能な第２のユーザーが使用する第２の入力装置から、入力された指示を示す情報を取得する指示入力取得部と、仮想三次元空間において、指示入力取得部が取得した指示に基づいて事象を制御するゲーム制御部と、ヘッドマウントディスプレイに表示すべき仮想三次元空間の第１画像を生成する第１画像生成部と、表示装置に表示すべき仮想三次元空間の第２画像を生成する第２画像生成部を備えることが開示されている。
【００１２】
特許文献１１には、ヘッドマウントディスプレイにパノラマ画像や仮想空間を表示させるには処理負荷が大きいことを課題とし、ネットワークを介してヘッドマウントディスプレイにクラウドサービスを提供する画像生成装置を提供し、撮影画像受信部は、撮影方向の異なる複数の撮影画像を受信し、パノラマ画像処理部は、撮影方向の異なる複数の撮影画像を合成してパノラマ画像を生成し、フォーマット変換部は、パノラマ画像をヘッドマウントディスプレイの仕様に適した画像フォーマットに変換し、パノラマ画像送信部は、フォーマット変換後のパノラマ画像をヘッドマウントディスプレイに送信することが開示されている。
【００１３】
特許文献１２には、ヘッドマウントディスプレイのユーザーの利便性を向上させることを課題とし、ゲーム装置は、ユーザーの頭部に装着されるヘッドマウントディスプレイの姿勢を示す情報を取得するＨＭＤ情報取得部、仮想三次元空間において、複数の規則のうちのいずれかに基づいて決定された視点位置と、ヘッドマウントディスプレイの姿勢に基づいて決定された視線方向を用いて、仮想三次元空間をレンダリングすることにより、ヘッドマウントディスプレイに表示される仮想三次元空間の画像を生成する第１画像生成部を備え、第１画像生成部は、仮想三次元空間の状況に応じて、視点位置を決定するための規則を選択することが開示されている。
【００１４】
特許文献１３には、例えば仮想現実システムに対するインターフェースとしてユーザーが装着し、物理的環境内における近接する対象物に関して警告を与えるようなヘッドマウントディスプレイに関する衝突警告システムが開示されており、動き検出器が、ヘッドマウントディスプレイの位置的な変化を検出し、これら変化は、表示される映像の視野の変化に対応し、比較段が、その移動によりユーザーが“禁止”領域に入るかどうかを決定し、もしそうであるならば、映像的及び／又は可聴警告が、ヘッドマウントディスプレイを介してユーザーに提供され、一実施例においては、ヘッドマウントディスプレイのディスプレイスクリーンが、液晶ディスプレイシャッタを有し、このシャッタは、衝突が差し迫った場合に、ユーザーに危険の警告を与えるだけではなくヘッドマウントディスプレイを取り外す又は調整する必要なくその危険を分からせるように、透過状態に切り替えられることが開示されている。
【先行技術文献】
【特許文献】
【００１５】
【特許文献１】特表２０１７−５０６４４９号公報
【特許文献２】特開２００１−３３７２９４号公報
【特許文献３】特開２０１７−１２０４４１号公報
【特許文献４】特開２０１７−１０２２９８号公報
【特許文献５】特開２０１３−２５８６１４号公報
【特許文献６】特開２０１７−１０２７３２号公報
【特許文献７】特許第６０８７４５３号公報
【特許文献８】特開２０１７−１３８９７３号公報
【特許文献９】特許第５８９１１３１号公報
【特許文献１０】特開２０１６−２１４８２２号公報
【特許文献１１】特開２０１６−１４００７８号公報
【特許文献１２】特開２０１６−１５８７９５号公報
【特許文献１３】特表平１０−５０４９１７号公報
【発明の概要】
【発明が解決しようとする課題】
【００１６】
ＶＲ技術の一つとしてヘッドマウントディスプレイ等を利用して、人間の感覚器官のうち主に視覚に働きかけて、現実感のある環境を人工的に作り出すことが行われている。
そのヘッドマウントディスプレイ等で提示されている画像を印刷したいとする要望がある。
本発明は、ユーザーの動作方向に連動して提示する画像を変更する機器が出力指示を受け付けた場合に、出力可能な画像を出力することができる情報処理装置及び情報処理プログラムを提供することを目的としている。
【課題を解決するための手段】
【００１７】
かかる目的を達成するための本発明の要旨とするところは、次の各項の発明に存する。
請求項１の発明は、ユーザーの動作方向に連動して該ユーザーの視野に提示する画像を変更する機器が出力指示を受け付けた場合、該出力指示を受けたときに該ユーザーの視野に向けて提示している領域の第１の画像と該領域外の第２の画像とを含む画像を出力するように制御する制御手段を有する情報処理装置である。
【００１８】
請求項２の発明は、前記制御手段は、前記第１の画像と第２の画像とを含む画像の電子画像ファイルを生成するモジュールに対して、該第１の画像と第２の画像とを含む画像を出力する、請求項１に記載の情報処理装置である。
【００１９】
請求項３の発明は、前記制御手段は、前記第１の画像と第２の画像とを含む画像から３次元立体物を生成するモジュールに対して、該第１の画像と第２の画像とを含む画像を出力する、請求項１に記載の情報処理装置である。
【００２０】
請求項４の発明は、前記ユーザーに向けて提示している領域内に３次元データが含まれている場合は、少なくとも該３次元データを出力先に出力する、請求項３に記載の情報処理装置である。
【００２１】
請求項５の発明は、前記制御手段は、前記第１の画像と第２の画像とを含む画像を２次元記録媒体上に印刷するモジュールに対して、該第１の画像と第２の画像とを含む画像を出力する、請求項１に記載の情報処理装置である。
【００２２】
請求項６の発明は、前記出力指示を受け付けた場合、前記２次元記録媒体に出力する画像形式を縁なしとする、請求項５に記載の情報処理装置である。
【００２３】
請求項７の発明は、前記出力指示を受け付けた場合、出力先が縁なし印刷可能であるか否かに応じて、前記２次元記録媒体に出力する画像形式を決定する、請求項５に記載の情報処理装置である。
【００２４】
請求項８の発明は、前記出力指示を受け付けた場合、出力先が縁なし印刷可能である場合は、前記２次元記録媒体に出力する画像形式を縁なしとする、請求項７に記載の情報処理装置である。
【００２５】
請求項９の発明は、前記出力指示を受け付けた場合、出力先が縁なし印刷可能ではない場合は、前記２次元記録媒体に出力する画像形式を縁ありとする、請求項７に記載の情報処理装置である。
【００２６】
請求項１０の発明は、前記第２の画像は、前記出力指示を受けたときに提示可能であったが、前記ユーザーの視野に入っていない画像である、請求項１に記載の情報処理装置である。
【００２７】
請求項１１の発明は、前記第２の画像は、前記第１の画像の左側、右側、上側、下側のいずれか１つ以上の位置にある画像である、請求項１０に記載の情報処理装置である。
【００２８】
請求項１２の発明は、前記制御手段は、前記第１の画像と第２の画像とを含む画像を出力する場合、該第１の画像と該第２の画像とを区別して出力する、請求項１１に記載の情報処理装置である。
【００２９】
請求項１３の発明は、前記制御手段は、前記第１の画像のいずれの方向に前記第２の画像を配置するかを決定する、請求項１に記載の情報処理装置である。
【００３０】
請求項１４の発明は、前記制御手段は、前記第１の画像の位置を決定し、該位置の周辺に前記第２の画像を配置する、請求項１に記載の情報処理装置である。
【００３１】
請求項１５の発明は、前記機器が提示する画像の表示領域の縁に画像非表示領域が存在する場合に、前記出力指示を受け付けると、縁あり画像を優先的に出力する、請求項１に記載の情報処理装置である。
【００３２】
請求項１６の発明は、前記機器が提示する画像の表示領域の縁に画像非表示領域が存在しない場合に、前記出力指示を受け付けると、縁なし画像を優先的に出力する、請求項１に記載の情報処理装置である。
【００３３】
請求項１７の発明は、前記ユーザーの視野に向けて提示している領域の第１の画像又は前記領域外の第２の画像の何れか１つにのみ縁なし画像が存在する場合、前記出力の設定の問い合わせを行う、請求項１に記載の情報処理装置である。
【００３４】
請求項１８の発明は、前記ユーザーの視野の前記領域外の第２の画像に一様な画像が存在する場合、前記出力の警告の通知を行う、請求項１に記載の情報処理装置である。
【００３５】
請求項１９の発明は、前記ユーザーに出力指示された画像に出力に不適格な画像が含まれる場合、該不適格な画像を除いて出力する、請求項１に記載の情報処理装置である。
【００３６】
請求項２０の発明は、コンピュータを、ユーザーの動作方向に連動して該ユーザーの視野に提示する画像を変更する機器が出力指示を受け付けた場合、該出力指示を受けたときに該ユーザーの視野に向けて提示している領域の第１の画像と該領域外の第２の画像とを含む画像を出力するように制御する制御手段として機能させるための情報処理プログラムである。
【発明の効果】
【００３７】
請求項１の情報処理装置によれば、ユーザーの動作方向に連動して提示する画像を変更する機器が出力指示を受け付けた場合に、印刷可能な画像を出力することができる。
【００３８】
請求項２の情報処理装置によれば、電子画像ファイルを生成させることができる。
【００３９】
請求項３の情報処理装置によれば、３次元立体物を生成させることができる。
【００４０】
請求項４の情報処理装置によれば、ユーザーが見ている領域内に３次元データが含まれている場合は、その３次元データを出力先に出力することができる。
【００４１】
請求項５の情報処理装置によれば、画像を印刷させることができる。
【００４２】
請求項６の情報処理装置によれば、２次元記録媒体に出力する画像形式を縁なしとすることができる。
【００４３】
請求項７の情報処理装置によれば、出力先が縁なし印刷可能であるか否かに応じて、２次元記録媒体に出力する画像形式を決定することができる。
【００４４】
請求項８の情報処理装置によれば、出力先が縁なし印刷可能である場合は、２次元記録媒体に出力する画像形式を縁なしとすることができる。
【００４５】
請求項９の情報処理装置によれば、出力先が縁なし印刷可能ではない場合は、２次元記録媒体に出力する画像形式を縁ありとすることができる。
【００４６】
請求項１０の情報処理装置によれば、第２の画像を、出力指示を受けたときに提示可能であったが、ユーザーの視野に入っていない画像とすることができる。
【００４７】
請求項１１の情報処理装置によれば、第２の画像を、第１の画像の左側、右側、上側、下側のいずれか１つ以上の位置にある画像とすることができる。
【００４８】
請求項１２の情報処理装置によれば、第１の画像と第２の画像とを含む画像を出力する場合、第１の画像と第２の画像とを区別する図形を付加して出力することができる。
【００４９】
請求項１３の情報処理装置によれば、第１の画像のいずれの方向に第２の画像を配置するかを決定することができる。
【００５０】
請求項１４の情報処理装置によれば、第１の画像の位置を決定し、その位置の周辺に第２の画像を配置することができる。
【００５１】
請求項１５の情報処理装置によれば、機器が提示する画像の表示領域の縁に画像非表示領域が存在する場合に、縁あり画像を優先的に出力することができる。
【００５２】
請求項１６の情報処理装置によれば、機器が提示する画像の表示領域の縁に画像非表示領域が存在しない場合に、縁なし画像を優先的に出力することができる。
【００５３】
請求項１７の情報処理装置によれば、第１の画像又は第２の画像の何れか１つにのみ縁なし画像が存在する場合、出力の設定の問い合わせを行うことができる。
【００５４】
請求項１８の情報処理装置によれば、第２の画像に一様な画像が存在する場合、出力の警告の通知を行うことができる。
【００５５】
請求項１９の情報処理装置によれば、ユーザーに出力指示された画像に出力に不適格な画像が含まれる場合、その不適格な画像を除いて出力することができる。
【００５６】
請求項２０の情報処理プログラムによれば、ユーザーの動作方向に連動して提示する画像を変更する機器が出力指示を受け付けた場合に、印刷可能な画像を出力することができる。
【図面の簡単な説明】
【００５７】
【図１】本実施の形態の構成例についての概念的なモジュール構成図である。
【図２】本実施の形態を利用したシステム構成例を示す説明図である。
【図３】画像提示モジュールの構成例についての概念的なモジュール構成図である。
【図４】本実施の形態による処理例を示すフローチャートである。
【図５】本実施の形態による処理例を示すフローチャートである。
【図６】本実施の形態による処理例を示すフローチャートである。
【図７】本実施の形態による処理例を示すフローチャートである。
【図８】本実施の形態による処理例を示すフローチャートである。
【図９】本実施の形態による処理例を示すフローチャートである。
【図１０】本実施の形態による処理例を示すフローチャートである。
【図１１】本実施の形態による画面の提示例を示す説明図である。
【図１２】本実施の形態による処理例を示すフローチャートである。
【図１３】本実施の形態による処理例を示すフローチャートである。
【図１４】印刷対象画像テーブルのデータ構造例を示す説明図である。
【図１５】立体物データファイルのデータ構造例を示す説明図である。
【図１６】プリンター属性テーブルのデータ構造例を示す説明図である。
【図１７】本実施の形態による処理例を示す説明図である。
【図１８】本実施の形態による処理例を示す説明図である。
【図１８Ｂ】本実施の形態による処理例を示す説明図である。
【図１９】画像形成指示モジュールの構成例についての概念的なモジュール構成図である。
【図２０】本実施の形態による処理例を示すフローチャートである。
【図２１】本実施の形態による処理例を示すフローチャートである。
【図２２】本実施の形態による処理対象の外縁の例を示す説明図である。
【図２３】本実施の形態による画面の提示例を示す説明図である。
【図２４】本実施の形態による画面の提示例を示す説明図である。
【図２５】印刷指示テーブルのデータ構造例を示す説明図である。
【図２６】２次元プリンターの構成例についての概念的なモジュール構成図である。
【図２７】画像形成処理モジュール内の概略構成図である。
【図２８】画像形成処理モジュールの二次転写が行われる位置付近の構成及び二次転写部材とクリーニング部材との間に印加されるバイアス電圧を制御する構成を示す図である。
【図２９】縁なし印刷において、記録媒体からはみ出して形成されたトナー像により記録媒体の背面に汚れが生じる状態を説明する図である。
【図３０】本実施の形態による処理例を示すフローチャートである。
【図３１】本実施の形態による処理例を示す説明図である。
【図３２】本実施の形態による処理例を示すフローチャートである。
【図３３】縁なし印刷ログテーブルのデータ構造例を示す説明図である。
【図３４】ユーザー別許可枚数テーブルのデータ構造例を示す説明図である。
【図３５】本実施の形態による処理例を示すフローチャートである。
【図３６】本実施の形態による処理例を示すフローチャートである。
【図３７】本実施の形態による処理例を示すフローチャートである。
【図３８】本実施の形態を実現するコンピュータのハードウェア構成例を示すブロック図である。
【発明を実施するための形態】
【００５８】
以下、図面に基づき本発明を実現するにあたっての好適な一実施の形態の例を説明する。
図１は、本実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するという意味である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係、ログイン等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態にしたがって、又はそれまでの状況・状態にしたがって定まることの意を含めて用いる。「予め定められた値」が複数ある場合は、それぞれ異なった値であってもよいし、２以上の値（もちろんのことながら、全ての値も含む）が同じであってもよい。また、「Ａである場合、Ｂをする」という記載は、「Ａであるか否かを判断し、Ａであると判断した場合はＢをする」の意味で用いる。ただし、Ａであるか否かの判断が不要である場合を除く。また、「Ａ、Ｂ、Ｃ」等のように事物を列挙した場合は、断りがない限り例示列挙であり、その１つのみを選んでいる場合（例えば、Ａのみ）を含む。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスク、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００５９】
本実施の形態である情報処理装置１００は、ユーザーの動作方向に連動して提示する画像を変更する機器が出力指示を受け付けた場合に、画像の出力を可能とするものであって、図１の例に示すように、動き検知モジュール１０５、画像記憶モジュール１１０、画像提示モジュール１１５、出力指示受付モジュール１２０、出力制御モジュール１２５、出力用画像出力モジュール１３０を有している。
「ユーザーの動作方向に連動して提示する画像を変更する機器」として、例えば、ヘッドマウントディスプレイ（Ｈｅａｄ  Ｍｏｕｎｔｅｄ  Ｄｉｓｐｌａｙ）がある。ヘッドマウントディスプレイとは、ゴーグルやヘルメット、眼鏡のように、頭部に装着して使うディスプレイのことである。「スマートグラス」とも呼ばれる。
人間の感覚器官に働きかけ現実感のある環境を人工的に作り出す技術を「ＶＲ」（Ｖｉｒｔｕａｌ  Ｒｅａｌｉｔｙ：バーチャルリアリティ、仮想現実、人工現実感）というが、コンピュータによってリアルタイムに生成した映像（画像）をヘッドマウントディスプレイに表示するシステムはＶＲを実現する。
なお「ユーザーの動作方向に連動」とは、ユーザーの頭部等の身体又は視線の動きを検知し、表示に反映させることである。
【００６０】
動き検知モジュール１０５は、画像提示モジュール１１５と接続されている。動き検知モジュール１０５は、ユーザーの動作を検知する。前述したように、ユーザーの頭部等の身体又は視線の動きを検知する。
画像記憶モジュール１１０は、画像提示モジュール１１５、出力制御モジュール１２５と接続されている。画像記憶モジュール１１０は、ユーザーの視野に提示し得る画像を記憶している。動画像、静止画像、３次元画像、音声等のデータを記憶している。具体的には、各時間における３６０度の周囲の画像を記憶している。なお、必ず３６０度全周囲に画像がなくてもよい。すなわち、特定の角度の周囲までしか画像が準備されていなくても、本発明のいう「ユーザーの動作方向に連動して提示する画像を変更する機器」を満たす。特定の角度の周囲までしか画像が切り替わらない、表示されないという場合、特定の角度の周囲より大きい又は以上には、画像がない、又は、切り替わらないよう制御するように、処理してもよい。また、出力対象の動画像、静止画像、３次元画像、音声等が再生時間による紐付きがない場合（つまり、出力対象と再生時間との対応付けがない場合）、角度に応じてのみ再生している対象を特定し、そのときのユーザーの動作方向と出力指示に従い、本実施の形態による処理を行う。
【００６１】
画像提示モジュール１１５は、動き検知モジュール１０５、画像記憶モジュール１１０、出力制御モジュール１２５と接続されている。画像提示モジュール１１５は、動き検知モジュール１０５によって検知されたユーザーの動作に連動して、そのユーザーの視野に提示する画像を変更する。
ＶＲでは、３６０度方向に位置付けられた画像が各アプリケーションソフトウェアのシーンに応じて表示される。すなわち、そのアプリケーションソフトウェアを起動してからＸ分後には、そのＸ分後のシーンに対して３６０度の画像があり、Ｙ時間後であればそのＹ時間後のシーンに対して３６０度の画像がある。ただし、人の視野は基本的に約１８０度なので、その視野で対応できる範囲で、仮想現実ディスプレイ装置２００の表示部に合わせて領域を切り取って表示している。
画像提示モジュール１１５の内部構成について、図３の例を用いて後述する。
【００６２】
出力指示受付モジュール１２０は、出力制御モジュール１２５と接続されている。出力指示受付モジュール１２０は、ユーザーによる出力指示を受け付ける。出力指示として、情報処理装置１００に備え付けられたボタン、情報処理装置１００に接続しているコントローラー（リモコン機器等）の操作、音声による指示、視線の動きによる操作（例えば、ユーザーの視野に出力指示ボタンを提示し、その出力指示ボタンの凝視、まばたき等による操作）、頭部の動き（ジェスチャー、例えば、首ふり、頷き等）等によって行われる。もちろんのことながら、これらの操作を解析（音声認識、視線解析、ジェスチャー解析等）して、出力指示として受け付ける。
【００６３】
出力制御モジュール１２５は、画像記憶モジュール１１０、画像提示モジュール１１５、出力指示受付モジュール１２０、出力用画像出力モジュール１３０と接続されている。出力制御モジュール１２５は、ユーザーの動作方向に連動して、そのユーザーの視野に提示する画像を変更する機器が出力指示を受け付けた場合、その出力指示を受けたときにそのユーザーに向けて提示している領域の画像を出力するように制御する。出力先は２次元プリンター１３５、３次元プリンター１４０、電子画像ファイル生成モジュール１４５等の出力装置である。出力先の選択は、選択画像を提示して、ユーザーに選択させてもよいし、予め定められた優先順位にしたがって選択してもよい。選択画面や優先順位を決める場合、現在表示している画像の中のオブジェクトに応じて決めてもよい。すなわち、単なる２次元情報だけであるオブジェクトが表示されている場合、２次元プリンター１３５か電子画像ファイル生成モジュール１４５を優先する。一方、３次元情報を有したオブジェクトが表示されている場合は、３次元プリンター１４０を優先する。３次元情報としては、例えば、ＳＴＬ（Ｓｔｅｒｅｏｌｉｔｈｏｇｒａｐｈｙ、Ｓｔａｎｄａｒｄ  Ｔｒｉａｎｇｕｌａｔｅｄ  Ｌａｎｇｕａｇｅ）、ｖｏｘｅｌ、ＦＡＶ（ＦＡｂｒｉｃａｔａｂｌｅ  Ｖｏｘｅｌ）等で定義された情報がある。
【００６４】
また、出力制御モジュール１２５は、画像の電子画像ファイルを生成する電子画像ファイル生成モジュール１４５に対して、その画像を出力するように制御してもよい。なお電子画像ファイル生成モジュール１４５は、情報処理装置１００内に具備していてもよいし、情報処理装置１００外の装置であってもよい。
また、出力制御モジュール１２５は、画像から３次元立体物を生成する３次元プリンター１４０に対して、その画像を出力するように制御してもよい。そして、ユーザーの視野に提示している領域内に３次元データが含まれている場合は、少なくともその３次元データを３次元プリンター１４０に出力するように制御してもよい。
【００６５】
また、出力制御モジュール１２５は、画像を２次元記録媒体上に印刷する２次元プリンター１３５に対して、その画像を出力するように制御してもよい。２次元記録媒体として、例えば、紙、ラベル、布、樹脂等がある。
そして、出力制御モジュール１２５は、出力指示を受け付けた場合、２次元記録媒体に出力する画像形式を縁なしとするように制御してもよい。
また、出力制御モジュール１２５は、出力指示を受け付けた場合、出力先が縁なし印刷可能であるか否かに応じて、２次元記録媒体に出力する画像形式を決定するように制御してもよい。
例えば、出力制御モジュール１２５は、出力指示を受け付けた場合、出力先が縁なし印刷可能である場合は、２次元記録媒体に出力する画像形式を縁なしとするように制御してもよい。
また、出力制御モジュール１２５は、出力指示を受け付けた場合、出力先が縁なし印刷可能ではない場合は、２次元記録媒体に出力する画像形式を縁ありとするように制御してもよい。
【００６６】
また、出力制御モジュール１２５は、ユーザーの動作方向に連動して、そのユーザーの視野に提示する画像を変更する機器が出力指示を受け付けた場合、その出力指示を受けたときにそのユーザーの視野に向けて提示している領域の第１の画像とその領域外の第２の画像とを含む画像を出力するように制御する。
「第１の画像と第２の画像とを含む画像」は、第１の画像と第２の画像とを重ね合わせて合成した画像、第１の画像と第２の画像とをつなぎ合わせて合成した画像のいずれであってもよい。
また、出力制御モジュール１２５は、第１の画像と第２の画像とを含む画像の電子画像ファイルを生成する電子画像ファイル生成モジュール１４５に対して、その第１の画像と第２の画像とを含む画像を出力するように制御してもよい。
また、出力制御モジュール１２５は、第１の画像と第２の画像とを含む画像から３次元立体物を生成する３次元プリンター１４０に対して、その第１の画像と第２の画像とを含む画像を出力するように制御してもよい。そして、ユーザーに向けて提示している領域内に３次元データが含まれている場合は、少なくともその３次元データを出力先に出力するようにしてもよい。なお、第２の画像の領域内に３次元データが含まれている場合も、その３次元データを３次元プリンター１４０に出力するように制御してもよい。
また、出力制御モジュール１２５は、第１の画像と第２の画像とを含む画像を２次元記録媒体上に印刷する２次元プリンター１３５に対して、その第１の画像と第２の画像とを含む画像を出力するように制御してもよい。そして、出力指示を受け付けた場合、２次元記録媒体に出力する画像形式を縁なしとするようにしてもよい。
また、出力制御モジュール１２５は、出力指示を受け付けた場合、２次元記録媒体に出力する画像形式を縁なしとするようにしてもよい。
また、出力制御モジュール１２５は、出力指示を受け付けた場合、出力先が縁なし印刷可能であるか否かに応じて、２次元記録媒体に出力する画像形式を決定するようにしてもよい。
例えば、出力制御モジュール１２５は、出力指示を受け付けた場合、出力先が縁なし印刷可能である場合は、２次元記録媒体に出力する画像形式を縁なしとするようにしてもよい。
例えば、出力制御モジュール１２５は、出力指示を受け付けた場合、出力先が縁なし印刷可能ではない場合は、２次元記録媒体に出力する画像形式を縁ありとするようにしてもよい。
【００６７】
なお、第２の画像は、出力指示を受けたときに提示可能であったが、ユーザーの視野に入っていない画像である。例えば、ユーザーは首を回すことによって見ることは可能であったが、見ていない画像（又は、見ることができない画像、視野外にある画像）である。具体的には、出力指示を受けた時点で、ユーザーの背後にある画像等が該当する。
また、第２の画像は、第１の画像の左側、右側、上側、下側のいずれか１つ以上の位置にある画像である。第１の画像と第２の画像の位置関係を示している。
また、出力制御モジュール１２５は、第１の画像と第２の画像とを含む画像を出力する場合、その第１の画像とその第２の画像とを区別して出力するようにしてもよい。例えば、第１の画像と第２の画像の境界を示す図形を付加して出力するようにしてもよい。境界を示す図形として、例えば、線（白線、赤線等）であってもよい。また、第１の画像はそのまま出力し、第２の画像は薄く出力するようにしてもよい。
また、出力制御モジュール１２５は、第１の画像のいずれの方向に第２の画像を配置するかを決定するようにしてもよい。「第１の画像のいずれの方向に第２の画像を配置する」として、第１の画像と第２の画像は、パノラマ画像を構成することになるが、（１）第１の画像を中心にして、第２の画像を配置するのか、（２）第１の画像に対して、第２の画像を右回りに出力するのか（第１の画像の右側に第２の画像を配置すること）、（３）第１の画像に対して、第２の画像を左回りに出力するのか（第１の画像の左側に第２の画像を配置すること）、等がある。
また、配置の決定は、ユーザーの指示に応じて決定してもよいし、予め定められた配置にしたがって決定してもよい。
また、出力制御モジュール１２５は、第１の画像の位置を決定し、その位置の周辺に第２の画像を配置するようにしてもよい。
また、出力制御モジュール１２５は、機器（具体例として、ヘッドマウントディスプレイ）が提示する画像の表示領域の縁に画像非表示領域が存在する場合に、出力指示を受け付けると、縁あり画像を優先的に出力するようにしてもよい。
また、出力制御モジュール１２５は、機器が提示する画像の表示領域の縁に画像非表示領域が存在しない場合に、出力指示を受け付けると、縁なし画像を優先的に出力するようにしてもよい。
【００６８】
出力制御モジュール１２５は、画像記憶モジュール１１０内のデータを用いて、第２の画像を生成してもよい。
また、出力制御モジュール１２５は、出力指示を受けた際のユーザーの動作Ａ以外の動作Ｂがあったとして、画像提示モジュール１１５に提示すべき画像を生成させてもよい。動作Ｂは、動作Ａによって提示される画像以外の画像を提示させる動作である。具体的には、動作Ａでは見ることができていなかった領域を見るための動作であり、首を回す等の動作が該当する。
あたかも、ユーザーがそのような動作を行ったとして、画像提示モジュール１１５に画像を生成させるのは、見ていなかった領域を見ていた場合は、異なる展開になっていた可能性があるためである。例えば、ゲームで、後ろを振り返っていたならば、違うストーリーになっていた場合等が該当する。このような対応をするために、出力制御モジュール１２５は、動き検知モジュール１０５の検知結果と同等のものを画像提示モジュール１１５に渡し、出力指示を受けた日時に、その動作があったものとして、画像を生成させる。
【００６９】
また、出力制御モジュール１２５は、ユーザーの視野に向けて提示している領域の第１の画像又はその領域外の第２の画像の何れか１つにのみ縁なし画像が存在する場合、そのユーザーに対して出力の設定の問い合わせを行うようにしてもよい。
また、出力制御モジュール１２５は、ユーザーの視野の領域外である第２の画像に一様な画像が存在する場合、そのユーザーに対して出力の警告の通知を行う。
また、出力制御モジュール１２５は、ユーザーの操作によって出力指示された画像に出力に不適格な画像が含まれる場合、その不適格な画像を除いて出力する。
【００７０】
出力用画像出力モジュール１３０は、出力制御モジュール１２５、２次元プリンター１３５、３次元プリンター１４０、電子画像ファイル生成モジュール１４５と接続されている。印刷用画像出力モジュール１３０は、出力制御モジュール１２５の制御にしたがって、２次元プリンター１３５、３次元プリンター１４０、電子画像ファイル生成モジュール１４５に画像を出力する。出力用画像出力モジュール１３０と２次元プリンター１３５、３次元プリンター１４０、電子画像ファイル生成モジュール１４５との通信は、有線であってもよいし、無線であってもよい。
２次元プリンター１３５は、情報処理装置１００の出力用画像出力モジュール１３０と接続されている。２次元プリンター１３５は、出力用画像出力モジュール１３０から渡された画像を２次元記録媒体上に印刷する。一般的なプリンターが該当する。電子写真方式、インクジェット方式等があるが、いずれの方式であってもよい。
３次元プリンター１４０は、情報処理装置１００の出力用画像出力モジュール１３０と接続されている。３次元プリンター１４０は、出力用画像出力モジュール１３０から渡された画像（３次元データを含む）にしたがって３次元立体物を生成する。つまり、３次元データを元に立体（３次元のオブジェクト：製品）を造形する機器である。立体印刷機ともいわれる。造形方式として、光造形法、粉末法、熱溶解積層法、シート積層法、インクジェット法等があるが、いずれの方式であってもよい。
電子画像ファイル生成モジュール１４５は、情報処理装置１００の出力用画像出力モジュール１３０と接続されている。電子画像ファイル生成モジュール１４５は、出力用画像出力モジュール１３０から渡された画像の電子画像ファイルを生成する。例えば、ＰＤＦ（Ｐｏｒｔａｂｌｅ  Ｄｏｃｕｍｅｎｔ  Ｆｏｒｍａｔ）ファイル等に変換する。なお、電子画像ファイル生成モジュール１４５を情報処理装置１００内に含めてもよい。
【００７１】
図２は、本実施の形態を利用したシステム構成例を示す説明図である。
仮想現実ディスプレイ装置２００は、ヘッドマウントディスプレイといわれており、情報処理装置１００を有している。仮想現実ディスプレイ装置２００は、例えばゴーグル形状である。また、眼鏡形状であってもよい。情報処理装置１００の画像提示モジュール１１５は、仮想現実ディスプレイ装置２００を装着したユーザー２９０の視界（視野、眼前）を覆うように構成された提示部（ディスプレイ、スクリーン等）を備えている。つまり、仮想現実ディスプレイ装置２００がユーザー２９０の頭部に装着されることで、画像提示モジュール１１５の提示部がユーザー２９０の左右の目の前に配置されるよう構成される。これにより、ユーザー２９０は、画像提示モジュール１１５によって提示された視野画像のみを見ることで仮想空間に没入することができる。なお、画像提示モジュール１１５は、ユーザー２９０の左目に投影される左目用の提示部とユーザー２９０の右目に投影される右目用の提示部とから構成されてもよい。
【００７２】
情報処理装置１００の動き検知モジュール１０５は、地磁気センサー、加速度センサー、傾きセンサー（角速度センサーやジャイロセンサー等）、視線センサーのうちの少なくとも１つを含み、ユーザー２９０の頭部に装着されている仮想現実ディスプレイ装置２００の各種動き（つまり、ユーザー２９０の頭部の各種動き）、又は、視線を検出することができる。
なお、仮想現実ディスプレイ装置２００に、ユーザー２９０が操作するコントローラー、ユーザー２９０の音声を受け付けるマイク、音声を出力するスピーカー（ヘッドフォン、イヤフォンを含む）、ユーザー２９０の身体（手、指、足等を含む）の動きを検知するモーションセンサー等が取り付けられていてもよい。
【００７３】
例えば、仮想現実ディスプレイ装置２００を起動後、ユーザー２９０の基準位置を決める。そこから、どれだけの変位（ジャイロといった角度変化）があったかを推測することで、基準位置からそのシーンにおけるどの３６０度中の画像を表示するかを決める。そこで、各シーンで決められたユーザー２９０の現在表示している位置で出力指示を出した場合に、その表示画像又はその表示画像とその時点で表示可能であったが表示されなかった画像を、２次元プリンター１３５、３次元プリンター１４０、電子画像ファイル生成モジュール１４５のいずれか、又は、これらの組み合わせに出力する。出力先は、選択画面やそのとき接続している機器（２次元プリンター１３５、３次元プリンター１４０、電子画像ファイル生成モジュール１４５）によって、又は、ユーザー２９０の予め定めた優先順位などで決める。
出力指示を出した場合、出力される画像のプレビュー画面を出して、通常のパーソナルコンピュータからの出力指示と同じようにサイズといった諸々の設定画面を表示し、そこでの指示を終えてから出力決定するようにしてもよい。
なお、ＶＲのコンテンツとして、例えば、ゲーム、旅行、不動産内見、学校の授業等がある。
【００７４】
図３は、画像提示モジュール１１５の構成例についての概念的なモジュール構成図である。
画像提示モジュール１１５は、提示・検知モジュール３１０ａ、提示・検知モジュール３１０ｂ、画像生成モジュール３３０を有している。なお、提示・検知モジュール３１０ａ、提示・検知モジュール３１０ｂ、提示モジュール３１５ａ、提示モジュール３１５ｂ、眼球検知モジュール３２０ａ、眼球検知モジュール３２０ｂは、左目用及び右目用のいずれも同様の構成であるため、３１０、３１５、３２０の符号を付して説明する。
画像記憶モジュール１１０は、画像提示モジュール１１５の画像生成モジュール３３０と接続されている。画像生成モジュール３３０は、画像記憶モジュール１１０、提示・検知モジュール３１０と接続されている。提示・検知モジュール３１０は、提示モジュール３１５、眼球検知モジュール３２０を有しており、画像生成モジュール３３０と接続されている。
画像生成モジュール３３０は、画像記憶モジュール１１０から取得した画像データに基づき、左右の提示モジュール３１５（提示モジュール３１５ａ、提示モジュール３１５ｂ）へそれぞれ出力するための画像信号を生成する。次に、提示モジュール３１５が、これらの画像信号に応じた画像光をそれぞれ表示面へ出射し、ユーザー２９０の目３９０に画像が提示される。
眼球検知モジュール３２０は、ユーザー２９０の目３９０の視線を検知する。動き検知モジュール１０５による処理の一部を担うことになる。
【００７５】
図４は、本実施の形態による処理例を示すフローチャートである。
ステップＳ４０２では、出力指示受付モジュール１２０は、ユーザー２９０による出力指示を受け付けたか否かを判断し、受け付けた場合はステップＳ４０４へ進み、それ以外の場合は受け付けるまで待機する。
ステップＳ４０４では、視野内の画像だけを対象とするか否かを判断し、視野内の画像だけを対象とする場合はステップＳ４０６へ進み、それ以外の場合はステップＳ４０８へ進む。例えば、ユーザー２９０の指示（視野内の画像だけを出力するとの指示、視野外の画像も出力するとの指示）によって、判断してもよい。また、デフォルトで定まっていてもよい。
ステップＳ４０６では、視野内の画像を出力する。ステップＳ４０６の詳細な処理については、図８、図９、図１０の例に示すフローチャートを用いて後述する。
ステップＳ４０８では、視野内外の画像を出力する。ステップＳ４０８の詳細な処理については、図８、図９、図１０の例に示すフローチャートを用いて後述する。
【００７６】
図５は、本実施の形態による処理例を示すフローチャートである。この処理例は、出力する画像データ内に３次元情報が含まれているか否かによって、ユーザーインターフェースを変更するものである。
ステップＳ５０２では、ユーザー２９０の身体又は視線を検知する。
ステップＳ５０４では、ユーザー２９０に向けて提示している領域の画像を抽出する。具体的には、ステップＳ５０２で出力指示を受け付けた時点で、画像提示モジュール１１５が提示している画像を抽出すればよい。この抽出した画像が出力用の画像となる。なお、右目用の画像、左目用の画像とあるが、いずれか一方を抽出すればよい。また、右目用の画像と左目用の画像から、両目で見た画像（出力用の画像）を生成してもよい。
【００７７】
ステップＳ５０６では、その画像には３次元情報が含まれているか否かを判断し、含まれている場合はステップＳ５０８へ進み、それ以外の場合はステップＳ５１０へ進む。３次元情報として、例えば、３次元プリント用データフォーマットであるＦＡＶ等がある。
また、例えば、画像内に、３次元情報が埋め込まれていてもよい。この場合、ユーザー２９０に提示する画像は、２次元画像と３次元画像が組み合わされたものである。
また、例えば、画像内に、３次元プリンター１４０への出力用の予め定められた３次元情報へのリンクが埋め込まれていてもよい。この場合、ユーザー２９０に提示する画像は、他の画像と同様に２次元画像であるが、出力指示があった場合に、画像内のオブジェクトに対応付けられたリンクを辿り、３次元プリンター１４０で造形するための３次元情報を抽出するようにしてもよい。例えば、図１５の例を用いて後述する立体物データファイル１５００を用いて、３次元情報を抽出してもよい。
【００７８】
ステップＳ５０８では、出力先として、（１）電子ファイル、（２）２次元プリンター１３５、（３）３次元プリンター１４０をユーザー２９０に選択させる。例えば、図１１（ｃ）に示す画面１１３０を提示する。
ステップＳ５１０では、出力先として、（１）電子ファイル、（２）２次元プリンター１３５をユーザー２９０に選択させる。例えば、図１１（ａ）に示す画面１１１０を提示する。
ステップＳ５１２では、出力先を判断し、３次元プリンター１４０の場合はステップＳ５１４へ進み、２次元プリンター１３５の場合はステップＳ５１８へ進み、電子ファイルの場合はステップＳ５２２へ進む。
【００７９】
ステップＳ５１４では、３次元プリンター１４０に３次元情報を含めて、画像データを出力する。
ステップＳ５１６では、３次元プリンター１４０は、３次元立体物を生成する。
【００８０】
ステップＳ５１８では、２次元プリンター１３５に画像データを出力する。ステップＳ５１８の詳細な処理については、図１２又は図１３の例に示すフローチャートを用いて後述する。
ステップＳ５２０では、２次元プリンター１３５は、印刷を行う。
【００８１】
ステップＳ５２２では、電子画像ファイル生成モジュール１４５に画像データを出力する。
ステップＳ５２４では、電子画像ファイル生成モジュール１４５は、電子ファイルを生成する。
【００８２】
図６は、本実施の形態による処理例を示すフローチャートである。この処理例は、出力する画像データ内に３次元情報が含まれている場合は３次元プリンター１４０を優先的に選択するユーザーインターフェースとするものである。なお、ステップＳ６０２〜Ｓ６０６の処理は図５の例に示したフローチャートのステップＳ５０２〜Ｓ５０６の処理と同等のものであり、ステップＳ６１４〜Ｓ６２６の処理は図５の例に示したフローチャートのステップＳ５１２〜Ｓ５２４の処理と同等のものである。
【００８３】
ステップＳ６０２では、ユーザー２９０の身体又は視線を検知する。
ステップＳ６０４では、ユーザー２９０に向けて提示している領域の画像を抽出する。
【００８４】
ステップＳ６０６では、その画像には３次元情報が含まれているか否かを判断し、含まれている場合はステップＳ６０８へ進み、それ以外の場合はステップＳ６１２へ進む。
ステップＳ６０８では、３次元プリンター１４０に出力することの確認をユーザー２９０に対して行う。例えば、図１１（ｂ）に示す画面１１２０を提示する。
ステップＳ６１０では、３次元プリンター１４０に出力するか否かを判断し、出力する場合はステップＳ６１４へ進み、それ以外の場合はステップＳ６１２へ進む。
ステップＳ６１２では、出力先として、（１）電子ファイル、（２）２次元プリンター１３５をユーザー２９０に選択させる。例えば、図１１（ａ）に示す画面１１１０を提示する。
【００８５】
ステップＳ６１４では、出力先を判断し、３次元プリンター１４０の場合はステップＳ６１６へ進み、２次元プリンター１３５の場合はステップＳ６２０へ進み、電子ファイルの場合はステップＳ６２４へ進む。
ステップＳ６１６では、３次元プリンター１４０に３次元情報を含めて、画像データを出力する。
ステップＳ６１８では、３次元プリンター１４０は、３次元立体物を生成する。
【００８６】
ステップＳ６２０では、２次元プリンター１３５に画像データを出力する。ステップＳ６２０の詳細な処理については、図１２又は図１３の例に示すフローチャートを用いて後述する。
ステップＳ６２２では、２次元プリンター１３５は、印刷を行う。
【００８７】
ステップＳ６２４では、電子画像ファイル生成モジュール１４５に画像データを出力する。
ステップＳ６２６では、電子画像ファイル生成モジュール１４５は、電子ファイルを生成する。
【００８８】
図７は、本実施の形態による処理例を示すフローチャートである。この処理例は、出力する画像データ内に３次元情報が含まれているか否かにかかわらず、出力先として３次元プリンター１４０が選択された場合等の処理を行うものである。なお、ステップＳ７０２〜Ｓ７０４、Ｓ７１０の処理は、それぞれ図５の例に示したフローチャートのステップＳ５０２〜Ｓ５０６の処理と同等のものであり、ステップＳ７１４〜Ｓ７２６の処理は図５の例に示したフローチャートのステップＳ５１２〜Ｓ５２４の処理と同等のものである。
【００８９】
ステップＳ７０２では、ユーザー２９０の身体又は視線を検知する。
ステップＳ７０４では、ユーザー２９０に向けて提示している領域の画像を抽出する。
【００９０】
ステップＳ７０６では、出力先として、（１）電子ファイル、（２）２次元プリンター１３５、（３）３次元プリンター１４０をユーザー２９０に選択させる。例えば、図１１（ｃ）に示す画面１１３０を提示する。
ステップＳ７０８では、３次元プリンター１４０が選択されたか否かを判断し、３次元プリンター１４０が選択された場合はステップＳ７１０へ進み、それ以外の場合はステップＳ７１４へ進む。
ステップＳ７１０では、出力対象である画像には３次元情報が含まれているか否かを判断し、含まれている場合はステップＳ７１４へ進み、それ以外の場合はステップＳ７１２へ進む。
ステップＳ７１２では、画像から３次元情報を生成する。既存の技術を用いて、２次元画像から３次元情報を生成すればよい。例えば、２次元画像と３次元画像のペアで学習済みの人工知能モデルを用いて生成してもよいし、左目用の画像と右目用の画像から３次元情報を生成してもよい。
【００９１】
ステップＳ７１４では、出力先を判断し、３次元プリンター１４０の場合はステップＳ７１６へ進み、２次元プリンター１３５の場合はステップＳ７２０へ進み、電子ファイルの場合はステップＳ７２４へ進む。
ステップＳ７１６では、３次元プリンター１４０に３次元情報を含めて、画像データを出力する。
ステップＳ７１８では、３次元プリンター１４０は、３次元立体物を生成する。
【００９２】
ステップＳ７２０では、２次元プリンター１３５に画像データを出力する。ステップＳ７２０の詳細な処理については、図１２又は図１３の例に示すフローチャートを用いて後述する。
ステップＳ７２２では、２次元プリンター１３５は、印刷を行う。
【００９３】
ステップＳ７２４では、電子画像ファイル生成モジュール１４５に画像データを出力する。
ステップＳ７２６では、電子画像ファイル生成モジュール１４５は、電子ファイルを生成する。
【００９４】
図８は、本実施の形態による処理例を示すフローチャートである。図５の例に示したフローチャートに対応するものであり、第１の画像と第２の画像を出力する場合に適用したものである。
ステップＳ８０２では、ユーザー２９０の身体又は視線を検知する。
ステップＳ８０４では、ユーザー２９０に向けて提示している領域の画像を抽出する。
ステップＳ８０６では、その際に、ユーザー２９０に向けて提示可能であったが、提示されていなかった画像を抽出する。
【００９５】
ステップＳ８０８では、その画像（ステップＳ８０４で抽出した画像（第１の画像に相当する）のみ、ステップＳ８０６で抽出した画像（第２の画像に相当する）のみ、ステップＳ８０４で抽出した画像又はステップＳ８０６で抽出した画像、ステップＳ８０４で抽出した画像かつステップＳ８０６で抽出した画像のいずれであってもよい）には３次元情報が含まれているか否かを判断し、含まれている場合はステップＳ８１０へ進み、それ以外の場合はステップＳ８１２へ進む。３次元情報として、例えば、３次元プリント用データフォーマットであるＦＡＶ等がある。
また、例えば、画像内に、３次元情報が埋め込まれていてもよい。この場合、ユーザー２９０に提示する画像は、２次元画像と３次元画像が組み合わされたものである。
また、例えば、画像内に、３次元プリンター１４０への出力用の予め定められた３次元情報へのリンクが埋め込まれていてもよい。この場合、ユーザー２９０に提示する画像は、他の画像と同様に２次元画像であるが、出力指示があった場合に、画像内のオブジェクトに対応付けられたリンクを辿り、３次元プリンター１４０で造形するための３次元情報を抽出するようにしてもよい。例えば、図１５の例を用いて後述する立体物データファイル１５００を用いて、３次元情報を抽出してもよい。
【００９６】
ステップＳ８１０では、出力先として、（１）電子ファイル、（２）２次元プリンター１３５、（３）３次元プリンター１４０をユーザー２９０に選択させる。例えば、図１１（ｃ）に示す画面１１３０を提示する。
ステップＳ８１２では、出力先として、（１）電子ファイル、（２）２次元プリンター１３５をユーザー２９０に選択させる。例えば、図１１（ａ）に示す画面１１１０を提示する。
ステップＳ８１４では、出力先を判断し、３次元プリンター１４０の場合はステップＳ８１６へ進み、２次元プリンター１３５の場合はステップＳ８２０へ進み、電子ファイルの場合はステップＳ８２４へ進む。
【００９７】
ステップＳ８１６では、３次元プリンター１４０に３次元情報を含めて、画像データを出力する。
ステップＳ８１８では、３次元プリンター１４０は、３次元立体物を生成する。
【００９８】
ステップＳ８２０では、２次元プリンター１３５に画像データを出力する。ステップＳ８２０の詳細な処理については、図１２又は図１３の例に示すフローチャートを用いて後述する。
ステップＳ８２２では、２次元プリンター１３５は、印刷を行う。
【００９９】
ステップＳ８２４では、電子画像ファイル生成モジュール１４５に画像データを出力する。
ステップＳ８２６では、電子画像ファイル生成モジュール１４５は、電子ファイルを生成する。
【０１００】
図９は、本実施の形態による処理例を示すフローチャートである。図６の例に示したフローチャートに対応するものであり、第１の画像と第２の画像を出力する場合に適用したものである。なお、ステップＳ９０２〜Ｓ９０８の処理は図８の例に示したフローチャートのステップＳ８０２〜Ｓ８０８の処理と同等のものであり、ステップＳ９１６〜Ｓ９２８の処理は図８の例に示したフローチャートのステップＳ８１４〜Ｓ８２６の処理と同等のものである。
ステップＳ９０２では、ユーザー２９０の身体又は視線を検知する。
ステップＳ９０４では、ユーザー２９０に向けて提示している領域の画像を抽出する。
ステップＳ９０６では、その際に、ユーザー２９０に向けて提示可能であったが、提示されていなかった画像を
抽出する。
【０１０１】
ステップＳ９０８では、その画像には３次元情報が含まれているか否かを判断し、含まれている場合はステップＳ９１０へ進み、それ以外の場合はステップＳ９１４へ進む。
ステップＳ９１０では、３次元プリンター１４０に出力することの確認をユーザー２９０に対して行う。例えば、図１１（ｂ）に示す画面１１２０を提示する。
ステップＳ９１２では、３次元プリンター１４０に出力するか否かを判断し、出力する場合はステップＳ９１６へ進み、それ以外の場合はステップＳ９１４へ進む。
ステップＳ９１４では、出力先として、（１）電子ファイル、（２）２次元プリンター１３５をユーザー２９０に選択させる。例えば、図１１（ａ）に示す画面１１１０を提示する。
【０１０２】
ステップＳ９１６では、出力先を判断し、３次元プリンター１４０の場合はステップＳ９１８へ進み、２次元プリンター１３５の場合はステップＳ９２２へ進み、電子ファイルの場合はステップＳ９２６へ進む。
ステップＳ９１８では、３次元プリンター１４０に３次元情報を含めて、画像データを出力する。
ステップＳ９２０では、３次元プリンター１４０は、３次元立体物を生成する。
【０１０３】
ステップＳ９２２では、２次元プリンター１３５に画像データを出力する。ステップＳ９２２の詳細な処理については、図１２又は図１３の例に示すフローチャートを用いて後述する。
ステップＳ９２４では、２次元プリンター１３５は、印刷を行う。
【０１０４】
ステップＳ９２６では、電子画像ファイル生成モジュール１４５に画像データを出力する。
ステップＳ９２８では、電子画像ファイル生成モジュール１４５は、電子ファイルを生成する。
【０１０５】
図１０は、本実施の形態による処理例を示すフローチャートである。図７の例に示したフローチャートに対応するものであり、第１の画像と第２の画像を出力する場合に適用したものである。なお、ステップＳ１００２〜Ｓ１００６、Ｓ１０１２の処理は、それぞれ図８の例に示したフローチャートのステップＳ８０２〜Ｓ８０８の処理と同等のものであり、ステップＳ１０１６〜Ｓ１０２８の処理は図８の例に示したフローチャートのステップＳ８１４〜Ｓ８２６の処理と同等のものである。
ステップＳ１００２では、ユーザー２９０の身体又は視線を検知する。
ステップＳ１００４では、ユーザー２９０に向けて提示している領域の画像を抽出する。
ステップＳ１００６では、その際に、ユーザー２９０に向けて提示可能であったが、提示されていなかった画像を抽出する。
【０１０６】
ステップＳ１００８では、出力先として、（１）電子ファイル、（２）２次元プリンター１３５、（３）３次元プリンター１４０をユーザー２９０に選択させる。例えば、図１１（ｃ）に示す画面１１３０を提示する。
ステップＳ１０１０では、３次元プリンター１４０が選択されたか否かを判断し、３次元プリンター１４０が選択された場合はステップＳ１０１２へ進み、それ以外の場合はステップＳ１０１６へ進む。
ステップＳ１０１２では、出力対象である画像には３次元情報が含まれているか否かを判断し、含まれている場合はステップＳ１０１６へ進み、それ以外の場合はステップＳ１０１４へ進む。
ステップＳ１０１４では、画像から３次元情報を生成する。既存の技術を用いて、２次元画像から３次元情報を生成すればよい。例えば、２次元画像と３次元画像のペアで学習済みの人工知能モデルを用いて生成してもよいし、左目用の画像と右目用の画像から３次元情報を生成してもよい。
【０１０７】
ステップＳ１０１６では、出力先を判断し、３次元プリンター１４０の場合はステップＳ１０１８へ進み、２次元プリンター１３５の場合はステップＳ１０２２へ進み、電子ファイルの場合はステップＳ１０２６へ進む。
ステップＳ１０１８では、３次元プリンター１４０に３次元情報を含めて、画像データを出力する。
ステップＳ１０２０では、３次元プリンター１４０は、３次元立体物を生成する。
【０１０８】
ステップＳ１０２２では、２次元プリンター１３５に画像データを出力する。ステップＳ１０２２の詳細な処理については、図１２又は図１３の例に示すフローチャートを用いて後述する。
ステップＳ１０２４では、２次元プリンター１３５は、印刷を行う。
【０１０９】
ステップＳ１０２６では、電子画像ファイル生成モジュール１４５に画像データを出力する。
ステップＳ１０２８では、電子画像ファイル生成モジュール１４５は、電子ファイルを生成する。
【０１１０】
図１１は、本実施の形態による画面の提示例を示す説明図である。
図１１（ａ）の例は、ステップＳ５１０、ステップＳ６１２、ステップＳ８１２、ステップＳ９１４での提示例を示すものである。
画面１１１０には、例えば、以下のように表示する。
−−−−−−−−−−−−−−−−−−−−−−−−−
■出力指示設定
出力指示を以下の２つから選んでください。
（１）電子ファイルを出力
（２）プリンターから画像を出力
出力指示の候補が存在しない場合、次へを押してください。
次へ
−−−−−−−−−−−−−−−−−−−−−−−−−
なお、「次へ」が選択された場合は、３次元プリンター１４０への出力を提示する。
【０１１１】
図１１（ｂ）の例は、ステップＳ６０８、ステップＳ９１０での提示例を示すものである。
画面１１２０には、例えば、以下のように表示する。
−−−−−−−−−−−−−−−−−−−−−−−−−
■出力指示設定
プリンターから立体物を出力するで、問題ないでしょうか。
ＹＥＳ／ＮＯ
−−−−−−−−−−−−−−−−−−−−−−−−−
なお、「ＮＯ」が選択された場合は、それ以外の候補（２次元プリンター１３５、電子画像ファイル生成モジュール１４５）への出力を提示する。
【０１１２】
図１１（ｃ）の例は、ステップＳ５０８、ステップＳ７０６、ステップＳ８１０、ステップＳ１００８での提示例を示すものである。
画面１１３０には、例えば、以下のように表示する。
−−−−−−−−−−−−−−−−−−−−−−−−−
■出力指示設定
出力指示を以下の３つから指定してください。
（１）電子ファイルを出力
（２）プリンターから画像を出力
（３）プリンターから立体物を出力
−−−−−−−−−−−−−−−−−−−−−−−−−
なお、複数の出力先を指定できるようにしてもよい。つまり、２つ以上の出力先から生成物（印刷物、３次元立体物、電子ファイルのいずれか２つ以上）を得ることができる。
【０１１３】
図１２は、本実施の形態による処理例（ステップＳ５１８、ステップＳ６２０、ステップＳ７２０、ステップＳ８２０、ステップＳ９２２、ステップＳ１０２２）を示すフローチャートである。縁なし画像を印刷することを優先するものである。
ステップＳ１２０２では、縁なし画像を生成する。
ステップＳ１２０４では、縁なし画像を２次元プリンター１３５に出力する。
【０１１４】
図１３は、本実施の形態による処理例（ステップＳ５１８、ステップＳ６２０、ステップＳ７２０、ステップＳ８２０、ステップＳ９２２、ステップＳ１０２２）を示すフローチャートである。２次元プリンター１３５が縁なし印刷が可能か否かによって、生成する画像を選択するものである。
ステップＳ１３０２では、２次元プリンター１３５は縁なし印刷が可能であるか否かを判断し、縁なし印刷が可能な場合はステップＳ１３０４へ進み、それ以外の場合はステップＳ１３０８へ進む。例えば、図１６を用いて後述するプリンター属性テーブル１６００を用いて、この判断処理を行うようにしてもよい。
【０１１５】
ステップＳ１３０４では、縁なし画像を生成する。
ステップＳ１３０６では、縁なし画像を２次元プリンター１３５に出力する。
ステップＳ１３０８では、縁あり画像を生成する。
ステップＳ１３１０では、縁あり画像を２次元プリンター１３５に出力する。
【０１１６】
図１４は、印刷対象画像テーブル１４００のデータ構造例を示す説明図である。
印刷対象画像テーブル１４００は、出力制御モジュール１２５が出力する画像を管理している。印刷対象画像テーブル１４００は、日時欄１４０５、提示画像欄１４１０、提示可能画像欄１４１５を有している。日時欄１４０５は、出力指示が行われた日時（年、月、日、時、分、秒、秒以下、又はこれらの組み合わせであってもよい）を記憶している。提示画像欄１４１０は、その日時に画像提示モジュール１１５がユーザー２９０の視野に向けて提示している画像（第１の画像に相当）を記憶している。提示可能画像欄１４１５は、その日時に提示可能であった画像（第２の画像に相当）を記憶している。この画像は、画像提示モジュール１１５又は出力制御モジュール１２５が生成する。なお、提示画像欄１４１０、提示可能画像欄１４１５内の画像は、画像データそのものであってもよいし、画像記憶モジュール１１０内へのリンクであってもよい。
出力用画像出力モジュール１３０は、提示画像欄１４１０、提示可能画像欄１４１５内の画像を出力することになる。
【０１１７】
図１５は、立体物データファイル１５００のデータ構造例を示す説明図である。
立体物データファイル１５００は、出力する画像内から３次元情報を抽出する場合に用いられる。立体物データファイル１５００は、経過時間欄１５０５、位置欄１５１０、オブジェクトＩＤ欄１５２０を有しており、位置欄１５１０は、Ｘ欄１５１２、Ｙ欄１５１４、Ｚ欄１５１６を有している。経過時間欄１５０５は、仮想現実ディスプレイ装置２００でのアプリケーションソフトウェアによる、開始からの経過時間を記憶している。位置欄１５１０は、オブジェクトが存在している位置を記憶している。Ｘ欄１５１２は、その位置のＸ座標を記憶している。Ｙ欄１５１４は、その位置のＹ座標を記憶している。Ｚ欄１５１６は、その位置のＺ座標を記憶している。つまり、経過時間欄１５０５と位置欄１５１０（時間的位置と空間的位置）によって、オブジェクトの位置を示している。オブジェクトＩＤ欄１５２０は、本実施の形態において、オブジェクトを一意に識別するための情報（オブジェクトＩＤ：ＩＤｅｎｔｉｆｉｃａｔｉｏｎ）を記憶している。このオブジェクトＩＤから、３次元情報を抽出すればよい。また、オブジェクトＩＤは、３次元情報のファイル名であってもよい。
【０１１８】
図１６は、プリンター属性テーブル１６００のデータ構造例を示す説明図である。２次元プリンター１３５の性能（具体的には、縁なし印刷可能か否か）を管理するテーブルである。
プリンター属性テーブル１６００は、プリンターＩＤ欄１６０５、縁なし印刷可／不可欄１６１０、白黒／カラー欄１６１５、用紙サイズ欄１６２０を有している。プリンターＩＤ欄１６０５は、本実施の形態において、プリンターを一意に識別するための情報（プリンターＩＤ）を記憶している。縁なし印刷可／不可欄１６１０は、そのプリンターは、縁なし印刷が可能であるか不可であるかの情報を記憶している。白黒／カラー欄１６１５は、白黒印刷のみであるかカラー印刷可能であるかの情報を記憶している。用紙サイズ欄１６２０は、印刷可能な用紙サイズを記憶している。
【０１１９】
図１７は、本実施の形態による処理例を示す説明図である。
仮想現実ディスプレイ装置２００は、ユーザー２９０の身体の動き又は視線を検知して、提示画像１７１０をユーザー２９０に対して提示している。この時点では、３６０度周囲の画像１７００が用意されている。つまり、この時点で、ユーザー２９０が右を向く等の動作をした場合は、提示画像１７１０の右側の画像が提示されることになる。ここで出力指示を受け付けた場合、この提示画像１７１０を記録媒体の次元（紙だと２次元）及びサイズに合わせて出力する。
【０１２０】
また、ＶＲ画像は、３６０度周囲の画像であるので、本来ならば印刷すると、現在ユーザー２９０が見ている画像は一部領域であっても、そのシーンを全て２次元記録媒体に収めるのであれば、３６０度周囲の画像を一度に印刷された方が好ましいケースがある。
画像１７００は、用紙全体に３６０度画像を上面から俯瞰した図で印刷した例を示している。提示画像１７１０の部分を赤枠等で囲んで、ユーザー２９０が見ていた場所の領域を示唆するようにしてもよい。
つまり、ここで出力指示を受け付けた場合、この提示画像１７１０（第１の画像に相当）と提示画像１７１０以外の画像（第２の画像に相当）とをともに記録媒体の次元（紙だと２次元）及びサイズに合わせて出力する。つまり、画像１７００全体を出力することになる。
【０１２１】
なお、出力用の画像は、基本的に３６０度ある画像１７００に対して一部を切り取るので、縁の領域に画像が残る。よって、縁あり印刷と縁なし印刷の両方の印刷モードがある印刷機（印刷アプリケーション）である場合、ＶＲ画像を出力するとき、縁なし印刷モードを優先的に選択した方が、ユーザー２９０にとっては表示物と印刷物の違和感がない。よって、そのように縁なし印刷を優先設定にする。ただし、仮想現実ディスプレイ装置２００がユーザー２９０に提示する画像の表示領域に制限が加えられ、縁に画像非表示領域が存在する場合（図１７（ｂ）参照）、出力指示を受け付けると、縁あり出力を優先的に出力するように処理してもよい。もちろん、そのような状況判断で縁なし、縁あり出力の優先を切り替える機能が実装されている場合、仮想現実ディスプレイ装置２００がユーザー２９０に提示する画像が表示領域の縁まで表示されてさえいれば（図１７（ｃ）参照）、縁なし出力を優先的に出力するように処理してもよい。このようにすることで、３６０度の全周囲に画像が連なって準備されていなくても、仮想現実ディスプレイ装置２００の表示の制御に連動して、適切に出力形式を設定することができる。なお、図１７（ｂ）に、仮想現実ディスプレイ装置２００の表示領域１７５０ｂに対して、表示画像領域１７１０ｂが小さいため、縁に画像非表示領域が存在する場合の例を示している。この場合、縁あり画像を優先的に出力することになる。また、図１７（ｃ）に、仮想現実ディスプレイ装置２００の表示領域１７５０ｃに対して、表示画像領域１７１０ｃが同じ大きさであるため、縁に画像非表示領域が存在しない場合の例を示している。この場合、縁なし画像を優先的に出力することになる。
また、例えば、提示画像１７１０内にのみ、提示画像１７１０以外の画像内にのみ、画像１７００内に、提示画像１７１０かつ提示画像１７１０以外の画像内に、３次元情報であるオブジェクトが含まれている場合（例えば、人物等）、図５、図８の例に示すフローチャートでは画面１１３０が提示され、図６、図９の例に示すフローチャートでは画面１１２０が提示される。逆に、それらの画像内に、３次元情報が含まれていない場合は、図５、図６、図８、図９の例に示すフローチャートでは画面１１１０が提示される。
【０１２２】
図１８は、本実施の形態による処理例を示す説明図である。図１７の例では、３６０度周囲の画像としての説明として、画像１７００を円形に示したが、例えば、パノラマ画像として矩形で管理されており、右端と左端とが連続して繋がっている画像であってもよい。画像１８００はパノラマ画像である。つまり、出力指示を受け付けた時点で、提示可能な画像である。
例えば、出力画像として、提示画像１８１０（第１の画像に相当）だけであってもよいし、提示画像１８１０以外の部分（提示可能画像１８２０、提示可能画像１８３０、第２の画像に相当）を含めた画像１８００全体であってもよい。つまり、ユーザー２９０が見ていた画像だけを出力対象としてもよいし、その時点で見ることができた画像全体を出力対象としてもよい。
また、出力形態として、図１８（ａ）の例に示すように、提示画像１８１０ａを中央にして、その左右に提示可能画像１８２０ａ、提示可能画像１８３０ａを位置付けるようにしてもよい。
また、出力形態として、図１８（ｂ）の例に示すように、提示画像１８１０ｂを左端にして、その右に提示可能画像１８３０ｂを位置付けるようにしてもよい。
また、出力形態として、図１８（ｃ）の例に示すように、提示画像１８１０ｃを右端にして、その左に提示可能画像１８２０ｃを位置付けるようにしてもよい。
もちろんのことながら、この他の形態（提示画像１８１０をやや右寄り等）で出力してもよい。
【０１２３】
なお、図１８の例では、提示画像１８１０の左側又は右側に提示可能画像（提示可能画像１８２０、提示可能画像１８３０）を配置したが、提示画像１８１０の上側又は下側に配置してもよい。例えば、出力指示時に上又は下を向いていたならば見えていたであろう画像を配置することになる。つまり、提示画像１８１０の位置（例えば、２次元プリンター１３５の場合は、用紙内の位置）を決定し、その提示画像１８１０の周辺に提示可能画像を配置すればよい。提示画像１８１０の位置の決定は、ユーザー２９０が行ってもよいし、予め定められた位置（例えば、中央等）に決定されていてもよい。
【０１２４】
第１の画像（提示している部分）、第２の画像（提示していない部分、提示可能画像）のパノラマ出力の場合、どちらか一方にのみ縁画像があるケースがある。つまり、一方が縁なし画像であり、他方が縁あり画像である場合である。そのとき、いずれか一方の画像が縁なし画像であれば、縁なし印刷にするようにしてもよい。例えば、第１の画像が縁なし画像であれば、第２の画像を含めた全体の画像も縁なし印刷としてもよいし、第２の画像が縁なし画像であれば、第１の画像を含めた全体の画像も縁なし印刷としてもよい。また、両方の画像が縁なし画像の場合に限り、縁なし印刷とするとしてもよいし、両方の画像が縁あり画像の場合に限り、縁あり印刷とするとしてもよい。
また、辺毎に判断してもよい。例えば、全ての辺が縁なしの場合に限り、縁なし印刷とするとしてもよいし、全ての辺が縁ありの場合に限り、縁あり印刷とするとしてもよい。
そして、これらの優先設定の変更をできるようにしてもよい。また、縁なし画像と縁あり画像の混在時、又は、縁なし辺と縁あり辺の混在時は、縁なし印刷を行うか否かについて（又は、縁あり印刷を行うか否かについて）、ユーザー２９０に問い合わせるようにしてもよい。
【０１２５】
前述したように、３６０度全周囲についての画像がない場合、つまり、特定の角度の周辺までしか画像が用意されていない場合がある。
この場合、第２の画像（提示してない部分）に、用意されていない画像については、黒画像といった明らかに出力に不適格なベタ画像（もちろん、黒ではなく、その他の色、例えば、紺等でもよい。また、白黒のドット画像等でもよい。）が存在することがある。その場合、出力指示を受け付けたならば、に警告の通知を行うようにしてもよい。さらに、出力するか否かを問い合わせるようにしてもよい。例えば、「不適切な画像が含まれます」、又は、「不要な画像まで出力します」といった警告をしてもよい。これによって、出力画像が見辛くなったりすることを抑制すること、印刷の場合のインク・トナーの消費量を抑制することができる。
【０１２６】
更に、不適格なベタ画像が含まれると判断される場合、自動的に不適格なベタ画像を除いた画像のみを抜粋して出力するようにしてもよい。その場合、不適格な画像と判断する設定をユーザー２９０に応じて決めてもよい。不適格な画像の判断例は、過半数の割合（それ以外の割合でもよい）で出力領域と仮設定された部分にある等である。もちろん、第１の画像（提示している部分）、第２の画像（提示していない部分）のどちらにでもベタ画像を除いて出力する機能を備えるようにしてもよい。例えば、図１８Ｂに示すように、仮想現実ディスプレイ装置２００のディスプレイに画面１８００Ｂを提示してもよい。つまり、各画像面（提示している画像面、提示していない画像面）の判断基準の割合を、ユーザー２９０の操作によって設定できることを示している。例えば、画面１８００Ｂには、不適切画像の処理設定欄１８１０Ｂと不適切画像とする判断の割合欄１８２０Ｂを提示する。不適切画像の処理設定欄１８１０Ｂには、実行指示欄１８１２Ｂがあり、その実行指示欄１８１２Ｂには、ＯＮボタン１８１４Ｂ、ＯＦＦボタン１８１６Ｂがある。ＯＮボタン１８１４Ｂの選択が行われると、不適切画像とする判断の割合欄１８２０Ｂの設定にしたがって、不適切画像の削除処理を行うことを設定している。ＯＦＦボタン１８１６Ｂの選択が行われると、この削除処理を実行しない。不適切画像とする判断の割合欄１８２０Ｂには、提示している画像面に対する割合１８２２Ｂを示しており、そして、提示していない画像面に対する割合１８２４Ｂを示している。提示している画像に対しての不適切画像の割合が、割合１８２２Ｂで設定された値以上（又はより大）である場合に、その不適切画像を提示している画像から削除する処理を行うことを示している。提示していない画像に対しての不適切画像の割合が、割合１８２４Ｂで設定された値以上（又はより大）である場合に、その不適切画像を提示していない画像から削除する処理を行うことを示している。つまり、削除した結果、不適切画像の部分は出力されないことになる。図１８Ｂの場合、提示している画像面に対して不適切画像の面積の割合が２０％以上（又はより大）である場合に、その不適切画像を出力対象としないようにしている。そして、提示していない画像面に対して不適切画像の面積の割合が５０％以上（又はより大）である場合に、その不適切画像を出力対象としないようにしている。なお、提示している画像面、提示していない画像面のそれぞれに対して設定できるようにしているが、片方の面（例えば、提示していない画像面）だけに設定できるようにしてもよいし、全体の画像面に対する割合として設定できるようにしてもよい。
【０１２７】
図１９は、画像形成指示モジュール１９００の構成例についての概念的なモジュール構成図である。出力制御モジュール１２５が２次元プリンター１３５に出力するように制御する場合は、画像形成指示モジュール１９００の処理を行うようにしてもよい。
画像形成指示モジュール１９００は、縁なし印刷と非縁なし印刷（いわゆる縁あり印刷）との両方ができる２次元プリンター１３５に対して、縁なし印刷と非縁なし印刷のいずれかを指定するものであって、図１９の例に示すように、印刷データ受付モジュール１９０５、印刷属性設定モジュール１９１０、印刷指示モジュール１９３５を有している。
例えば、縁なし印刷モード（設定）と非縁なし印刷モード（設定）が存在する場合、印刷の都度ユーザー２９０にいずれかのモードを設定させていると作業ステップ数が多くなり、操作に手間がかかってしまう。そこで、画像形成指示モジュール１９００は、その手間を省くために、縁なし印刷モード又は非縁なし印刷モードのいずれがより効果的な設定であるかを判断し、その判断結果にしたがってモードを優先的にセットする。
【０１２８】
印刷データ受付モジュール１９０５は、印刷属性設定モジュール１９１０の外縁検査モジュール１９１５と画像生成過程検知モジュール１９２０、印刷指示モジュール１９３５と接続されている。印刷データ受付モジュール１９０５は、２次元プリンター１３５で印刷される印刷データを受け付けて、その印刷データを外縁検査モジュール１９１５、画像生成過程検知モジュール１９２０、印刷指示モジュール１９３５へ渡す。
【０１２９】
印刷属性設定モジュール１９１０は、外縁検査モジュール１９１５、画像生成過程検知モジュール１９２０、選択モジュール１９２５、提示モジュール１９３０を有しており、印刷指示モジュール１９３５と接続されている。印刷属性設定モジュール１９１０は、２次元プリンター１３５に印刷を行わせる場合の印刷属性を設定するものであって、主に、印刷属性として、縁なし印刷と非縁なし印刷のいずれかを設定するものである。また、印刷属性設定モジュール１９１０は、２次元プリンター１３５が縁なし印刷と非縁なし印刷の両方の設定ができるか否かを判断し、できる場合は印刷属性設定モジュール１９１０内の各モジュールに処理を行わせ、できない場合（いずれか一方の印刷しかできない場合）は、一般の印刷装置における印刷属性の設定（例えば、印刷部数、用紙サイズ、白黒／カラー印刷等の設定）を行うようにしてもよい。
【０１３０】
外縁検査モジュール１９１５は、印刷データ受付モジュール１９０５、選択モジュール１９２５と接続されている。外縁検査モジュール１９１５は、印刷データ受付モジュール１９０５が受け付けた印刷データの外縁に、印刷すべき画像があるか否かを検査する。ここで「印刷データの外縁」とは、印刷データの周辺部であって、その印刷データを２次元記録媒体に印刷した場合に、２次元記録媒体の縁となる部分である。つまり、印刷データの領域とそれを印刷する２次元記録媒体との位置関係で決まるものである。
なお、印刷データは、矩形と限る必要はないが、矩形である場合は、外縁とは４辺の縁部分をいう。以下では、例示として矩形を用いて説明する。具体的には、図２２の例を用いて後述する。
【０１３１】
画像生成過程検知モジュール１９２０は、印刷データ受付モジュール１９０５、選択モジュール１９２５と接続されている。画像生成過程検知モジュール１９２０は、印刷データ受付モジュール１９０５が受け付けた印刷データの生成過程を検知する。生成過程として、印刷データがスクリーンショットによって生成されたものであること（ユーザー２９０が見ている画像が印刷指示されたことであり、以下、スクリーンショットともいう）等がある。検知方法として、例えば、印刷データの属性として、画像の生成過程が含まれている場合は、その生成過程を抽出すればよい。また、印刷データの属性に限られず、その他のデータ等から抽出してもよい。例えば、印刷データを生成する装置（画像形成指示モジュール１９００に含まれていてもよい）が、印刷データを生成する操作から生成過程を検知し、その検知した生成過程を画像生成過程検知モジュール１９２０が受け取ってもよい。印刷データを生成する操作から生成過程を検知してもよい。また、印刷データを生成する操作ログ（操作履歴）から生成過程を検知してもよい。
【０１３２】
選択モジュール１９２５は、外縁検査モジュール１９１５、画像生成過程検知モジュール１９２０と接続されている。選択モジュール１９２５は、印刷データに基づいて、縁なし印刷用の設定と非縁なし印刷用の設定のいずれかを選択する。
また、選択モジュール１９２５は、印刷データの外縁の画像に基づいて、縁なし印刷用の設定と非縁なし印刷用の設定のいずれかを選択するようにしてもよい。ここで「印刷データの外縁の画像に基づいて」として、外縁検査モジュール１９１５による検知結果をいう。
また、選択モジュール１９２５は、印刷データの外縁に画像がある場合は、縁なし印刷用の設定を選択するようにしてもよい。「印刷データの外縁に画像がある場合」とは、印刷される２次元記録媒体における外縁に、印刷されるべき印刷データがある場合である。
また、選択モジュール１９２５は、印刷データの外縁に画像がない場合は、非縁なし印刷用の設定を選択するようにしてもよい。
また、選択モジュール１９２５は、縁なし印刷用の設定又は非縁なし印刷用の設定を、印刷データの縁毎に選択できるようにしてもよい。なお、印刷データが矩形である場合は、辺毎（４辺それぞれ）に選択できることになる。
また、選択モジュール１９２５は、印刷データの生成過程に基づいて、縁なし印刷用の設定と非縁なし印刷用の設定のいずれかを選択するようにしてもよい。
また、選択モジュール１９２５は、印刷データがスクリーンショットによって生成された画像である場合は、縁なし印刷用の設定を選択するようにしてもよい。そして、印刷データがスクリーンショット以外の方法で生成された場合（例えば、説明書の印刷等である場合）は、非縁なし印刷用の設定を選択するようにしてもよい。
【０１３３】
提示モジュール１９３０は、選択モジュール１９２５による選択結果を提示する。選択結果として、縁なし印刷用の設定、非縁なし印刷用の設定のいずれかがある。
また、提示モジュール１９３０は、選択モジュール１９２５による選択結果を、操作者によって変更可能に提示するようにしてもよい。具体的には、操作者による変更操作として、選択モジュール１９２５による選択結果である縁なし印刷用の設定を非縁なし印刷用の設定に変更すること、逆に、選択モジュール１９２５による選択結果である非縁なし印刷用の設定を縁なし印刷用の設定に変更すること、がある。
【０１３４】
印刷指示モジュール１９３５は、印刷データ受付モジュール１９０５、印刷属性設定モジュール１９１０と接続されている。印刷指示モジュール１９３５は、印刷属性設定モジュール１９１０による印刷属性の設定にしたがって、印刷データ受付モジュール１９０５によって受け付けられた印刷データを２次元プリンター１３５に印刷させるようにする印刷指示（印刷ジョブともいわれる）を生成し、その印刷指示を２次元プリンター１３５に渡す。
また、印刷指示モジュール１９３５は、印刷データに対して、縁なし印刷用の設定と非縁なし印刷用の設定が混在する場合は、非縁なし印刷用の設定がされた縁を先頭にした画像を生成するようにしてもよい。なお、印刷データが矩形である場合は、非縁なし印刷用の設定がされた辺を先頭にした画像を生成することになる。
また、印刷指示モジュール１９３５は、印刷データを回転することによって、非縁なし印刷用の設定がされた縁を先頭にした画像を生成するようにしてもよい。なお、印刷データが矩形である場合は、非縁なし印刷用の設定がされた辺を先頭にした画像を生成することになる。
【０１３５】
図２０、図２１は、本実施の形態による処理例を示すフローチャートである。
ステップＳ２００２では、印刷データ受付モジュール１９０５は、印刷指示を受け付ける。
ステップＳ２００４では、印刷属性設定モジュール１９１０は、縁なし／あり（縁なし印刷／非縁なし印刷）の設定ができる印刷装置であるか否かを判断し、縁なし／ありの設定ができる印刷装置の場合はステップＳ２００６へ進み、それ以外の場合はステップＳ２０２６へ進む。
ステップＳ２００６では、外縁検査モジュール１９１５は、４辺のそれぞれの外縁を取得する。例えば、図２２は、本実施の形態による処理対象の外縁の例を示す説明図である。図２２（ａ）の例に示すように、印刷データ２２００には、外縁２２１０、外縁２２２０、外縁２２３０、外縁２２４０がある。図２２（ｂ）（ｃ）の例に示すように、外縁２２１０、外縁２２３０の幅２２１５と、外縁２２２０、外縁２２４０の幅２２２５は、縁あり印刷を行う場合の縁部分の幅である。なお、図２２（ｂ）の例では、外縁２２１０の幅２２１５と、外縁２２３０の幅２２１５は、同じとしているが、異なる値であってもよい。もちろんのことながら、図２２（ｃ）の例では、外縁２２２０の幅２２２５と、外縁２２４０の幅２２２５は、同じとしているが、異なる値であってもよい。
【０１３６】
ステップＳ２００８では、外縁検査モジュール１９１５は、その外縁に画像があるか否かを判断し、ある場合はステップＳ２０１０へ進み、それ以外の場合はステップＳ２０１２へ進む。図２２の例では、外縁２２１０、外縁２２２０、外縁２２３０、外縁２２４０に、印刷すべき画像があるか否かを判断すればよい。なお、外縁２２１０、外縁２２２０、外縁２２３０、外縁２２４０を、印刷される２次元記録媒体における領域としてもよい。
ステップＳ２０１０では、選択モジュール１９２５は、その辺では縁なし印刷を設定する。
ステップＳ２０１２では、選択モジュール１９２５は、その辺では非縁なし印刷を設定する。
ステップＳ２０１４では、選択モジュール１９２５は、全ての辺を設定したか否かを判断し、設定した場合はステップＳ２０１６へ進み、それ以外の場合はステップＳ２００８へ戻る。
【０１３７】
ステップＳ２０１６では、提示モジュール１９３０は、設定結果を提示する。例えば、図２３、又は、図２４のような提示を行う。
図２３は、本実施の形態による画面２３００の提示例を示す説明図である。全ての辺が非縁なし印刷である場合の提示例を示すものである。
画面２３００には、用紙サイズ指定欄２３１０、印刷の向き指定欄２３２０、部数指定欄２３３０、縁なし印刷指定欄２３４０を表示する。縁なし印刷指定欄２３４０では、全ての辺が非縁なし印刷である場合であるので、「縁なし印刷する」の選択が行われていない。
図２４は、本実施の形態による画面２３００の提示例を示す説明図である。縁なし印刷の辺と非縁なし印刷の辺が混在している場合の提示例を示すものである。
画面２３００には、用紙サイズ指定欄２３１０、印刷の向き指定欄２３２０、部数指定欄２３３０、縁なし印刷指定欄２４４０を表示する。縁なし印刷指定欄２４４０には、印刷データのサムネイル画像２４５０を表示する。そして、そのサムネイル画像２４５０は、縁なし／あり設定領域２４５２、縁なし／あり設定領域２４５４、縁なし／あり設定領域２４５６、縁なし／あり設定領域２４５８を有している。ここでは、縁なし／あり設定領域２４５２（上辺）は「縁なし」に設定され、縁なし／あり設定領域２４５４（右辺）は「縁なし」に設定され、縁なし／あり設定領域２４５６（下辺）は「縁あり」に設定され、縁なし／あり設定領域２４５８（左辺）は「縁あり」に設定されている。
【０１３８】
ステップＳ２０１８では、提示モジュール１９３０は、操作者の操作にしたがって、設定を変更する。図２３の例では、縁なし印刷指定欄２３４０で、ユーザー２９０の操作によって、「縁なし印刷する」の選択を受け付けることができる。つまり、「縁あり印刷」が適切であると判断された後でも、「縁あり印刷」から「縁なし印刷」への変更が、ユーザー２９０の操作によって行える。図２４の例では、ユーザー２９０の操作によって、各辺について、「縁なし印刷」、「縁あり印刷」の選択変更を受け付けることができる。つまり、各辺について、「縁なし印刷」又は「縁あり印刷」が適切であると判断された後でも、各辺について、「縁あり印刷」から「縁なし印刷」、「縁なし印刷」から「縁あり印刷」への変更が、ユーザー２９０の操作によって行える。
【０１３９】
ステップＳ２０２０では、印刷指示モジュール１９３５は、１枚の２次元記録媒体において、縁なし印刷の設定と非縁なし印刷の設定が混在するか否かを判断し、混在する場合はステップＳ２０２２へ進み、それ以外の場合はステップＳ２０２６へ進む。
ステップＳ２０２２では、印刷指示モジュール１９３５は、非縁なし印刷の設定がされた辺が先頭であるか否かを判断し、先頭の場合はステップＳ２０２６へ進み、それ以外の場合はステップＳ２０２４へ進む。ここでの先頭とは、印刷される２次元記録媒体において、先に画像が形成される辺をいう。
ステップＳ２０２４では、印刷指示モジュール１９３５は、非縁なし印刷の設定がされた辺が先頭になるように印刷データを回転させる。縁なし印刷が先頭となる場合は、画像の汚れ（例えば、２次元記録媒体の縁をはみ出たトナーによって生じる汚れ）が２次元記録媒体全体に広がってしまう可能性があるので、縁あり印刷である辺が先になるように回転を行っている。
【０１４０】
ステップＳ２０２６では、印刷属性設定モジュール１９１０は、その他の属性を設定する。図２３の例で示した用紙サイズ指定欄２３１０、印刷の向き指定欄２３２０、部数指定欄２３３０等に対する設定が該当する。
ステップＳ２０２８では、印刷指示モジュール１９３５は、２次元プリンター１３５に印刷指示を行う。例えば、印刷指示テーブル２５００を生成して、印刷ジョブとして２次元プリンター１３５に渡す。図２５は、印刷指示テーブル２５００のデータ構造例を示す説明図である。印刷指示テーブル２５００は、印刷指示欄２５１０、印刷データ欄２５２０、用紙サイズ欄２５３０、印刷の向き欄２５４０、部数欄２５５０、縁なし印刷欄２５６０等を有しており、縁なし印刷欄２５６０は、上辺欄２５６２、右辺欄２５６４、下辺欄２５６６、左辺欄２５６８を有している。
印刷指示欄２５１０は、印刷指示を記憶している。印刷データ欄２５２０は、印刷対象である印刷データを記憶している。用紙サイズ欄２５３０は、印刷する用紙のサイズを記憶している。印刷の向き欄２５４０は、印刷の向きを記憶している。部数欄２５５０は、印刷する部数を記憶している。縁なし印刷欄２５６０は、縁なし印刷であるか否かの情報を記憶している。上辺欄２５６２は、上辺が縁なし印刷であるか否かの情報を記憶している。右辺欄２５６４は、右辺が縁なし印刷であるか否かの情報を記憶している。下辺欄２５６６は、下辺が縁なし印刷であるか否かの情報を記憶している。左辺欄２５６８は、左辺が縁なし印刷であるか否かの情報を記憶している。もちろんのことながら、辺毎でなく、用紙全体に対しての縁なし印刷であるか否かの情報（１辺でも縁なし印刷の設定がある場合は、縁なし印刷であるとの情報）を記憶するようにしてもよい。
【０１４１】
本実施の形態である２次元プリンター１３５は、印刷機能を有しており、一般的に、プリンター、複写機、複合機（プリンター、複写機のいずれか１つ以上の機能を有しており、スキャナー、ファックス等の複数の機能を有している画像処理装置）等が該当する。
２次元プリンター１３５は、図２６の例に示すように、画像形成処理モジュール２６１０、縁なし制御モジュール２６２０を有している。そして２次元プリンター１３５は、縁なし印刷用の定着装置又は転写装置を取り替え可能である。なお、縁なし印刷用の定着装置だけが取り替え可能であってもよいし、縁なし印刷用の転写装置だけが取り替え可能であってもよいし、縁なし印刷用の定着装置と縁なし印刷用の転写装置の両方が取り替え可能であってもよい。縁なし印刷用の定着装置を取り替える（セット、装着）とは、縁なし印刷用ではない定着装置（一般の定着装置であって、縁あり印刷用の定着装置）を縁なし印刷用の定着装置に交換すること、その逆が該当する。そして、縁なし印刷用の転写装置を取り替えるとは、縁なし印刷用ではない転写装置（一般の転写装置であって、縁あり印刷用の転写装置）を縁なし印刷用の転写装置に交換すること、その逆が該当する。
２次元プリンター１３５は、縁なし印刷が可能である。２次元プリンター１３５に、縁なし印刷用の定着装置と転写装置が取り付けられている場合は、縁なし印刷を高画質で行うことができる。２次元プリンター１３５に、縁なし印刷用の定着装置又は縁なし印刷用の転写装置のいずれか１つ以上が取り付けられていない場合であっても、縁なし印刷そのものは可能である。ただし、両者が取り付けられている場合に比較して、画質が低下し、又は、２次元プリンター１３５の故障等の原因となり得る。また、２次元プリンター１３５に、縁なし印刷用の定着装置、縁なし印刷用の転写装置が取り付けられているか否かについては、外部からは分かりにくい。なお、縁なし印刷用の定着装置又は縁なし印刷用の転写装置が一般の定着装置又は転写装置と異なる点の一例としては、クリーニング機構にある。
２次元プリンター１３５は、縁なし印刷機能を利用するとの指定があった場合は、定着装置又は転写装置が縁なし印刷用であるか否かの判断をし、縁なし印刷用でない場合は、警告を行う。もちろんのことながら、ユーザー２９０の操作によっては、警告があったにもかかわらず、縁なし印刷が行われる場合がある。
【０１４２】
画像形成処理モジュール２６１０は、制御モジュール１２を有しており、縁なし制御モジュール２６２０の縁なし印刷制御モジュール２６２５、縁なし印刷用定着装置検知モジュール２６３０、縁なし印刷用転写装置検知モジュール２６３５と接続されている。画像形成処理モジュール２６１０は、２次元プリンター１３５における画像形成処理を行う。具体的には、ユーザー２９０の操作による印刷指示にしたがって、印刷処理を行う。なお、その印刷指示に、縁なし印刷の指定が含まれている場合は、縁なし制御モジュール２６２０に処理を行わせる。なお、縁なし印刷は、印刷される２次元記録媒体の辺毎に設定可能である。したがって、縁なし印刷の設定と非縁なし印刷の設定が混在していてもよい。その場合は、縁なし印刷用の定着装置又は縁なし印刷用の転写装置を用いればよい。
制御モジュール１２は、画像形成処理モジュール２６１０の制御を行って、画像形成処理を行わせる。
なお、画像形成処理モジュール２６１０、制御モジュール１２の詳細な処理（特に、縁なし印刷処理）については、図２７〜２９の例を用いて後述する。
【０１４３】
縁なし制御モジュール２６２０は、縁なし印刷制御モジュール２６２５、縁なし印刷用定着装置検知モジュール２６３０、縁なし印刷用転写装置検知モジュール２６３５、警告モジュール２６４０、縁なし画像形成処理モジュール２６４５、印刷制限処理モジュール２６５０、縁なし印刷用ソフトウェア確認モジュール２６５５、縁なし印刷用ソフトウェア導入モジュール２６６０、通信モジュール２６６５を有している。縁なし制御モジュール２６２０は、印刷指示に、縁なし印刷の指定が含まれている場合の処理を行う。
縁なし印刷制御モジュール２６２５は、画像形成処理モジュール２６１０、警告モジュール２６４０、縁なし画像形成処理モジュール２６４５、印刷制限処理モジュール２６５０、縁なし印刷用ソフトウェア確認モジュール２６５５と接続されている。縁なし印刷制御モジュール２６２５は、画像形成処理モジュール２６１０からの指示にしたがって、縁なし制御モジュール２６２０内のモジュールの制御を行う。
縁なし印刷用定着装置検知モジュール２６３０は、画像形成処理モジュール２６１０、警告モジュール２６４０と接続されている。縁なし印刷用定着装置検知モジュール２６３０は、画像形成処理モジュール２６１０内に縁なし印刷用定着装置があるか否かを検知する。また、縁なし印刷用定着装置として、定着装置に取り付けられているクリーナーユニットを検知するようにしてもよい。
縁なし印刷用転写装置検知モジュール２６３５は、画像形成処理モジュール２６１０、警告モジュール２６４０と接続されている。縁なし印刷用転写装置検知モジュール２６３５は、画像形成処理モジュール２６１０内に縁なし印刷用転写装置があるか否かを検知する。また、縁なし印刷用転写装置として、転写装置に取り付けられているクリーナーユニットを検知するようにしてもよい。
縁なし印刷用定着装置検知モジュール２６３０、縁なし印刷用転写装置検知モジュール２６３５は、例えば、縁なし印刷用定着装置、縁なし印刷用転写装置がセットされていることを示す情報（フラグ、属性情報）が予め定められた記憶領域に記憶されているか否かによって判断してもよい。この記憶領域は、定着装置、転写装置が有している記憶部内であってもよいし、２次元プリンター１３５内の記憶部内であってもよい。また、センサーによって縁なし印刷用定着装置、縁なし印刷用転写装置がセットされているか否かを検出するようにしてもよい。センサーとして、例えば、光学的センサー、磁気的センサー、機械的スイッチ等があり、縁なし印刷用定着装置、縁なし印刷用転写装置がセットされている場合はＯＮ（又はＯＦＦ）となり、これを受け取って判断すればよい。特に、前述の記憶領域を有していない場合は、センサーによって検出するようにしてもよい。
【０１４４】
警告モジュール２６４０は、縁なし印刷制御モジュール２６２５、縁なし印刷用定着装置検知モジュール２６３０、縁なし印刷用転写装置検知モジュール２６３５と接続されている。警告モジュール２６４０は、縁なし印刷機能を利用する場合、定着装置又は転写装置が縁なし印刷用でないときには、警告を行う。「縁なし印刷機能を利用する場合」とは、例えば、前述したように、ユーザー２９０の操作から、縁なし印刷の指定が含まれている印刷指示を受け取った場合が該当する。「定着装置又は転写装置が縁なし印刷用でないとき」とは、例えば、縁なし印刷用定着装置検知モジュール２６３０が、縁なし印刷用定着装置がセットされていると検知していない場合、又は、縁なし印刷用転写装置検知モジュール２６３５が、縁なし印刷用転写装置がセットされていると検知していない場合が該当する。「定着装置又は転写装置が縁なし印刷用でないとき」の組み合わせとして、「定着装置が縁なし印刷用でないとき」、「転写装置が縁なし印刷用でないとき」、「定着装置と転写装置の両方が縁なし印刷用でないとき」がある。なお、２次元プリンター１３５そのものが、縁なし印刷用定着装置だけで（縁なし印刷用転写装置ではなく、一般用の転写装置）、高画質の縁なし印刷ができる場合は、「定着装置が縁なし印刷用でないとき」だけでよい。縁なし印刷用転写装置だけで（縁なし印刷用定着装置ではなく、一般用の定着装置）、高画質の縁なし印刷ができる場合は、「転写装置が縁なし印刷用でないとき」だけでよい。又は、２次元プリンター１３５が、縁なし印刷用定着装置だけが取り替え可能である場合（転写装置は取り替えできない場合）、「定着装置が縁なし印刷用でないとき」だけでよい。２次元プリンター１３５が、縁なし印刷用転写装置だけが取り替え可能である場合（定着装置は取り替えできない場合）、「転写装置が縁なし印刷用でないとき」だけでよい。
なお、警告には、表示装置への警告内容の表示の他に、３Ｄ（Ｄｉｍｅｎｓｉｏｎｓ）映像としての出力を含めてもよく、さらに、スピーカー等の音声出力装置への警告音（警告音声を含む）の出力、振動等、これらの組み合わせを用いてもよい。
【０１４５】
縁なし画像形成処理モジュール２６４５は、縁なし印刷制御モジュール２６２５と接続されている。縁なし画像形成処理モジュール２６４５は、縁なし印刷用の定着装置又は転写装置が取り付けられておらず、縁なし印刷機能の指定を受け付けた場合、縁なし印刷用の定着装置及び転写装置が取り付けられている場合とは異なる画像形成処理を行う。「縁なし印刷用の定着装置又は転写装置が取り付けられておらず」の判断は、前述したように、縁なし印刷用定着装置検知モジュール２６３０、縁なし印刷用転写装置検知モジュール２６３５による検知結果を用いればよい。「縁なし印刷機能の指定を受け付けた場合」とは、例えば、前述したように、ユーザー２９０の操作から、縁なし印刷の指定が含まれている印刷指示を受け取った場合が該当する。
「異なる画像形成処理」として、縁である周辺部の画像の濃度を下げることとしてもよい。周辺部とは、用紙の４辺部分（縁から予め定められた幅の部分）であり、一般の印刷（縁あり印刷）では印刷が行われない部分である。この周辺部に印刷される画像の濃度を下げることによって、クリーニングが必要となるトナー量を少なくするものである。例えば、濃度を本来の８０％等にする。また、周辺部の濃度を一様に下げるのではなく、縁に向かって濃度を下げる量を多くしてもよい。さらに４辺部分全ての濃度を下げるのではなく、用紙の搬送方向先端部の縁部だけや、用紙のサイド縁部といった４辺部分を選択的に濃度を下げるようにしてもよい。また、４辺部分の画像が、予め定められた濃度未満又は以下である場合は、濃度を下げる処理を行わないようにしてもよい。
【０１４６】
また、「異なる画像形成処理」として、転写装置又は定着装置のクリーニング頻度を、縁なし印刷用の定着装置及び転写装置を装着した場合と比べて多く実行することとしてもよい。例えば、縁なし印刷の場合は、それぞれのクリーニング回数を増やすようにしてもよいし、また、クリーニング回数を増やすために、縁なし印刷後に画像形成せずに用紙だけを搬送する（用紙を転写装置、定着装置で処理させ、その用紙に汚れの元となる残トナーを吸着させる）ようにしてもよい。もちろん、画像形成せずの空回転ができない場合、用紙の地色に近い画像(白色用紙なら白色画像)を形成したり、透明なクリア画像を形成してクリーニング動作を行ってもよい。また、縁なし印刷した用紙のサイズよりも大きなサイズの用紙を用いるようにしてもよい。縁なし印刷は、用紙をはみ出した画像を印刷対象とすることになるからである。また、このクリーニング処理は、縁なし印刷の１枚毎に行ってもよいし、印刷ジョブ毎に行うようにしてもよい。
また、縁なし印刷が同じサイズで連続して行われる場合は、増加したクリーニング処理を行わないように制御してもよい。ただし、最後の印刷後に、増加したクリーニング処理を行う。また、次の縁なし印刷が前の縁なし印刷の用紙サイズよりも小さいサイズで行われる場合は、増加したクリーニング処理を行わないように制御してもよい。ただし、最後の印刷後に、増加したクリーニング処理を行う。逆に、次の縁なし印刷が前の縁なし印刷の用紙サイズよりも大きいサイズで行われる場合は、増加したクリーニング処理を行うように制御してもよい。
【０１４７】
印刷制限処理モジュール２６５０は、縁なし印刷制御モジュール２６２５と接続されている。印刷制限処理モジュール２６５０は、警告モジュール２６４０による警告が行われた場合、縁なし印刷機能の利用を制限する。この「縁なし印刷機能の利用制限」として、利用回数又はユーザー２９０の制限としてもよい。利用回数の制限とは、予め定められた閾値より多く又は以上の「縁なし印刷機能の利用」が行われた場合は、これを許可しないように制御することである。利用回数の制限には、例えば、印刷枚数の制限、用紙サイズ毎の利用回数の制限、白黒／カラー毎の利用回数の制限等を含む。ユーザー２９０の制限とは、予め定められたユーザー２９０にのみ「縁なし印刷機能の利用」を許可するように制御することである。ユーザー２９０の制限には、例えば、ユーザーＩＤ（ＩＤｅｎｔｉｆｉｃａｔｉｏｎ）による特定、ユーザー２９０のロール（役割、具体的には、グループリーダー、デザイナー等）による特定等を含む。また、利用回数とユーザー２９０との組み合わせによる制限としてもよい。例えば、ユーザーＩＤ毎に、利用回数の制限を設けてもよい。
【０１４８】
縁なし印刷用ソフトウェア確認モジュール２６５５は、縁なし印刷制御モジュール２６２５、縁なし印刷用ソフトウェア導入モジュール２６６０と接続されている。縁なし印刷用ソフトウェア確認モジュール２６５５は、縁なし印刷用の定着装置及び転写装置が取り付けられた場合、縁なし印刷を利用可能なソフトウェア（プログラム）が導入されているか否かを確認する。前述したように、縁なし印刷用の定着装置及び転写装置が取り付けられたか否か（又は、取り付けられている状態であるか否か）は、縁なし印刷用定着装置検知モジュール２６３０、縁なし印刷用転写装置検知モジュール２６３５による検知結果を用いればよい。なお、縁なし印刷を利用可能なソフトウェアが導入されているか否かは、そのソフトウェアが導入されていることを示す情報（フラグ、属性情報）が予め定められた記憶領域に記憶されているか否かによって判断してもよいし、縁なし印刷を利用可能なソフトウェアＩＤをソフトウェア格納サーバーから取得し、そのソフトウェアＩＤが画像形成処理モジュール２６１０に導入されているか否かによって判断してもよい。
縁なし印刷用ソフトウェア導入モジュール２６６０は、縁なし印刷用ソフトウェア確認モジュール２６５５、通信モジュール２６６５と接続されている。縁なし印刷用ソフトウェア導入モジュール２６６０は、縁なし印刷用ソフトウェア確認モジュール２６５５による確認結果に応じて、縁なし印刷を利用可能なソフトウェアが導入されていない場合、通信回線を介してそのソフトウェアを導入する。具体的には、２次元プリンター１３５の機種を検索キー（場合によっては、縁なし印刷用の定着装置及び転写装置の装置ＩＤ等も検索キーに含めて）として、ソフトウェア格納サーバーからソフトウェアを検索すればよい。
通信モジュール２６６５は、縁なし印刷用ソフトウェア導入モジュール２６６０と接続されている。通信モジュール２６６５は、ソフトウェア格納サーバーとの通信を行う。具体的には、縁なし印刷用ソフトウェア導入モジュール２６６０の指示にしたがって、縁なし印刷を利用可能なソフトウェアの要求の送信と、そのソフトウェアの受信を行う。
【０１４９】
図２７は、画像形成処理モジュール２６１０内の概略構成図である。また、図２８は、図２７に示す画像形成処理モジュール２６１０の二次転写が行われる位置付近の構成及び二次転写部材とクリーニング部材との間に印加されるバイアス電圧を制御する構成を示す図である。
静電電位の差による潜像に粉状のトナーを転移してトナー像を形成する画像形成装置では、潜像が形成される潜像保持部材の無端状となった周面上にトナーを付着させてトナー像が形成される。そして、形成されたトナー像が、該潜像保持部材から直接に２次元記録媒体に転写されるか、又は潜像保持部材から一旦中間転写体に一次転写され、さらに２次元記録媒体に二次転写される。２次元記録媒体にトナー像を転写するための転写部材として、潜像保持部材又は中間転写体の周面と接触するように設けられ、無端状の周面が周回移動するものとなった転写ロール又は複数のロール状部材に張架された転写ベルト等が一般に用いられる。このような転写部材は、潜像保持部材又は中間転写体との対向位置である転写領域に送り込まれた２次元記録媒体を挟み込み、２次元記録媒体の背面に接触して２次元記録媒体を通過させるものとなっている。そして、転写バイアス電圧の印加によって転写部材と潜像保持部材又は中間転写体との間に電界を形成し、この電界内でトナー像を２次元記録媒体に転移させる。
【０１５０】
このような画像形成装置では、２次元記録媒体の外周に余白を残してトナー像が転写される通常印刷が一般的であるが、２次元記録媒体の全面にトナー像を転写するいわゆる縁なし印刷ができる装置が開発されている。縁なし印刷では、トナー像が２次元記録媒体の寸法より大きな範囲に形成され、２次元記録媒体の全面とその周囲にはみ出したトナー像が転写される。したがって、縁なし印刷が実行されると、転写領域において、２次元記録媒体からはみ出したトナーが転写部材の周面上に転移される。
また、潜像保持部材には、トナー像を形成する領域外にもいわゆるかぶりトナーがわずかに付着する。そして、トナー像を潜像保持部材から直接に２次元記録媒体に転写する装置では、転写位置で２次元記録媒体と対向しない領域から上記かぶりトナーが転写部材の周面上に転移する。また、潜像保持部材から一旦中間転写体にトナー像を一次転写し、中間転写体から２次元記録媒体に二次転写する装置では、一次転写位置でかぶりトナーが中間転写体に転写され、二次転写位置では２次元記録媒体と対向しない領域からかぶりトナーが転写部材の周面上に転移する。
【０１５１】
このようにトナーが転写部材の周面に付着したままで周回すると、転写領域に送り込まれた２次元記録媒体の背面側に付着し、２次元記録媒体の背面を汚してしまうことになる。このため、転写部材の周面を清掃するためのクリーニング装置を設け、転写部材の周面に転移したトナーを除去する画像形成装置が、例えば特開２００８−８９６５７号公報に提案されている。
上記潜像保持部材又は中間転写体と転写部材とが対向する転写領域で、転写部材の周面に転移するトナーの量は、通常印刷が実行される場合と縁なし印刷が実行される場合とで大きく変動する。また、温度や湿度等によって変動することも考えられる。このように変動する転移トナー量に対して、転写部材の周面からトナーを充分に除去することができなければ、２次元記録媒体の背面に汚れを生じることになる。
【０１５２】
画像形成処理モジュール２６１０は、トナー像が転写された２次元記録媒体の背面に生じる汚れを抑制する。そのために、縁なし印刷用の定着装置と転写装置がセットされている場合について説明する。
２次元プリンター１３５は、例えば、４色のトナーを用いてカラー画像を形成する画像形成装置であり、イエロー（Ｙ）、マゼンタ（Ｍ）、シアン（Ｃ）、ブラック（Ｋ）の各色の画像を出力する電子写真方式の画像形成ユニット１０Ｙ、１０Ｍ、１０Ｃ、１０Ｋと、これらと対向する中間転写ベルト２０とを備えている。中間転写ベルト２０は、像保持体として機能するものであり、上記画像形成ユニット１０のそれぞれと対向するように張架され、周面が周回駆動されるものである。この中間転写ベルト２０の周回移動方向における画像形成ユニット１０が対向する位置の下流側には、二次転写を行うための二次転写部材２４が中間転写ベルト２０と対向するように配置されている。この二次転写部材２４は、転写部材として機能するものであり、二次転写部材２４が中間転写ベルト２０と対向する二次転写位置３０にはシート収容部８から搬送路９を経て、シート状の２次元記録媒体Ｐが送り込まれ、中間転写ベルト２０上のトナー像が２次元記録媒体に転写される。２次元記録媒体の搬送経路における二次転写位置３０の下流側には、トナー像が転写された２次元記録媒体の搬送装置２５及びトナー像を加熱及び加圧して２次元記録媒体上に定着する定着装置７が設けられている。さらに下流側にはトナー像が定着された２次元記録媒体を重ねて保持する排紙保持部（図示しない）が設けられている。
【０１５３】
一方、中間転写ベルト２０の周回移動方向における二次転写位置３０の下流側には、二次転写後の中間転写ベルト２０上に残留したトナーを回収する中間転写ベルト用のクリーニング装置２９が設けられている。また、二次転写部材２４が有する無端状の周面と対向する位置には、二次転写位置３０で中間転写ベルト２０から二次転写部材２４に転移したトナーを回収するために、二次転写部材用の第１のクリーニング部材３１及び第２のクリーニング部材３２が配設されている。
【０１５４】
なお、２次元プリンター１３５は、２次元記録媒体の外周に余白を残してトナー像を形成する通常印刷モードＭ１と２次元記録媒体の全面にトナー像を形成する縁なし印刷モードＭ２と、を含む複数の印刷モードを備えるものとなっており、これら印刷モードの切り換えは、外部装置から入力されるデータ又は操作者が操作パネル等から入力するデータに基づき制御モジュール１２によって行われるものとなっている。
【０１５５】
上記画像形成ユニット１０は、中間転写ベルト２０の周回移動方向における上流側から順に、イエローのトナー像を形成する画像形成ユニット１０Ｙ、マゼンタのトナー像を形成する画像形成ユニット１０Ｍ、シアンのトナー像を形成する画像形成ユニット１０Ｃ、ブラックのトナー像を形成する画像形成ユニット１０Ｋが配列されている。そして、それぞれの画像形成ユニット１０は、表面に静電潜像が形成される感光体ドラム１を有しており、各感光体ドラム１の周囲に、該感光体ドラム１の表面を帯電する帯電装置２と、感光体ドラム上に形成された潜像にトナーを選択的に転移させてトナー像を形成する現像装置４と、感光体ドラム１上のトナー像を中間転写ベルト２０上に一次転写する一次転写ロール５と、転写後の感光体ドラム上に残留したトナーを除去する感光体用のクリーニング装置６と、を備えている。また、感光体ドラム１のそれぞれについて、画像信号に基づいて像光を発生する露光装置３が設けられ、現像装置４が対向する位置の上流側で感光体ドラム１に像光を照射して静電潜像を書き込むものとなっている。
【０１５６】
感光体ドラム１は、金属の円筒状部材の周面に有機感光体層を積層して形成したものであり、金属部分が電気的に接地されている。また、バイアス電圧が印加されるものであってもよい。
【０１５７】
上記帯電装置２は、被帯電体である感光体ドラム１の周面と間隔をあけて張架された電極ワイヤを備えるものであり、この電極ワイヤと感光体ドラム１との間に電圧を印加し、コロナ放電を生じさせて感光体ドラム１の表面を帯電するものである。
本実施の形態では、上記のようにコロナ放電によって帯電させる装置を用いたが、固体放電器やロール形状又はブレード形状などの接触あるいは非接触帯電装置を用いることもできる。
【０１５８】
上記露光装置３は、画像信号に基づいて点滅するレーザー光を発生し、これをポリゴンミラーによって回転する感光体ドラム１の主走査方向（軸線方向）に走査するものである。これによりそれぞれの感光体ドラム１の表面に各色の画像に相当する静電潜像が形成される。
【０１５９】
上記現像装置４は、トナーと磁性キャリアとを含む二成分現像剤を使用するものであり、感光体ドラム１と対向する位置に現像ロール４ａを備え、回転する現像ロール４ａの周面上に二成分現像剤の層が形成される。この現像ロール４ａの周面から感光体ドラム１上にトナーを転移して静電潜像を可視化する。また、画像形成にともない消費されたトナーは、消費量に応じて補充されるようになっている。
本実施の形態では、感光体ドラム１は帯電装置２によって負極性に帯電され、露光によって帯電電位が減衰した部分に負極性に帯電したトナーを転移するものとなっている。
【０１６０】
上記一次転写ロール５は、各画像形成ユニット１０Ｙ、１０Ｍ、１０Ｃ、１０Ｋについて感光体ドラム１Ｙ、１Ｍ、１Ｃ、１Ｋと対向する位置の中間転写ベルト２０の背面側に配置されている。そして、一次転写ロール５Ｙ、５Ｍ、５Ｃ、５Ｋと感光体ドラム１Ｙ、１Ｍ、１Ｃ、１Ｋとの間に一次転写用のバイアス電圧が印加され、これらが対向する一次転写位置で、通過する中間転写ベルト２０に感光体ドラム上のトナー像を静電的に転写するものである。
【０１６１】
上記感光体用のクリーニング装置６は、感光体ドラム１の周面に接触して配置されたクリーニングブレードにより、転写後の感光体ドラム１上に残留したトナーを除去するものである。
【０１６２】
上記中間転写ベルト２０は、複数の層を重ね合わせたフィルム状の部材を無端状に形成したものである。この中間転写ベルト２０は、像保持体として機能するものであり、回転駆動される駆動ロール２１と、中間転写ベルト２０の幅方向への偏りを調整する調整ロール２２と、二次転写部材２４と対向する位置に支持された対向ロール２３とに張架されて、図２７中に示す矢印Ａの方向に周回移動するものとなっている。
【０１６３】
上記対向ロール２３と中間転写ベルト２０を挟んで対向する位置に配置された二次転写部材２４は、二次転写ロール２６と、補助ロール２７と、これらに張架された二次転写ベルト２８とを有するものである。二次転写ベルト２８は中間転写ベルト２０と重ね合わされた状態で対向ロール２３と二次転写ロール２６との間に挟み込まれ、中間転写ベルト２０が周回駆動されるのにともなって周回移動するものとなっている。また、中間転写ベルト２０と二次転写ベルト２８との間に２次元記録媒体が送り込まれたときには、この２次元記録媒体を挟み込んで搬送するものとなっている。
【０１６４】
上記二次転写ロール２６は、金属の芯材２６ａの外周面上に、導電性粒子が添加されたゴム材の外周層２６ｂを形成したものである。また、上記対向ロール２３は、金属の芯材２３ａの外周面上に外周層２３ｂを形成したものであり、外周層２３ｂは単層又は複数の層から構成されるもののいずれでもよい。
上記二次転写ロール２６と対向ロール２３との間には、図２８に示すように、転写バイアス用の電源装置１１から二次転写用のバイアス電圧が印加され、二次転写位置３０に転写用の電界が形成される。
【０１６５】
上記定着装置７は、上記二次転写位置３０でトナー像が転写された２次元記録媒体を加熱及び加圧してトナー像を２次元記録媒体に定着するものであり、加熱源を内蔵した加熱ロール７ａと、この加熱ロール７ａに圧接される加圧ロール７ｂとを備えている。これらの接触部にトナー像が転写された２次元記録媒体が送り込まれ、回転駆動される加熱ロール７ａと加圧ロール７ｂとの間で加熱及び加圧され、トナー像が２次元記録媒体上に定着されるものとなっている。そして、加熱ロール７ａと加熱ロール７ｂに転移したトナーを回収するために、加熱ロール７ａにはクリーニング部材４１ａが配設され、加熱ロール７ｂにはクリーニング部材４１ｂが配設されている。なお、転写装置におけるクリーニングをクリーニング部材４１ａ、４１ｂが行う。また、クリーニング部材４１ａ、４１ｂは、ロール、ブレードであってもよい。
【０１６６】
上記中間転写ベルト用のクリーニング装置２９は、二次転写位置３０で２次元記録媒体に転写した後に残留するトナーを中間転写ベルト２０の周面から除去するものとなっており、中間転写ベルト２０の周面に接触するクリーニングブレードを備えている。このクリーニングブレードにより、中間転写ベルト２０の周面上に付着しているトナーを掻き落とすように除去するものである。
【０１６７】
上記第１のクリーニング部材３１及び第２のクリーニング部材３２は、二次転写ベルト２８の周面と接触するように配置されている。それぞれのクリーニング部材３１、３２は、金属からなる回転軸の周囲に放射状にブラシ毛を取り付けたものであり、ブラシ毛は導電性を付与するための粒子を混入した樹脂材料によって形成されている。そして、回転軸からブラシ毛に電圧を印加し、ブラシ毛と二次転写ロール２６との間に電界を形成するものとなっている。つまり、二次転写ベルト２８の周回移動方向における上流側で接触する第１のクリーニング部材３１と電気的に接地された二次転写ロール２６との間には、第１のクリーニング用バイアス電源３３からクリーニング用のバイアス電圧が印加され、第１のクリーニング部材３１に正極性側の電位を付与するものとなっている。また、下流側で接触する第２のクリーニング部材３２と二次転写ロール２６との間には第２のクリーニング用バイアス電源３５から第２のクリーニング部材３２の電位が負極性側となるようにクリーニング用のバイアス電圧が印加される。したがって、正極性側となるようにバイアス電圧が印加された第１のクリーニング部材３１によって、主に負極性に帯電したトナーを二次転写ベルト２８の周面から除去し、負極性の電圧が印加された第２のクリーニング部材３２によって、主に正極性に帯電したトナーを除去するものとなる。
なお、図２８中に示す符号３６、３７は、第１のクリーニング部材３１及び第２のクリーニング部材３２のブラシ毛に接触して、二次転写ベルト２８の周面から吸着したトナーを払い落とすための払い落とし部材を示すものである。
【０１６８】
上記第１のクリーニング部材３１は、クリーニング部材として機能するものであり、この第１のクリーニング部材３１にクリーニング用のバイアス電圧を印加する第１のクリーニング用バイアス電源３３がクリーニングバイアス印加手段として機能するものとなっている。そして、第１のクリーニング用バイアス電源３３から第１のクリーニング部材に印加する電圧が制御モジュール１２によって制御される。
【０１６９】
上記制御モジュール１２は、２次元プリンター１３５が有する複数の印刷モードの中から選択された印刷モードに切り換えるためのモード切り換えモジュール１３を備える他に、上記第１のクリーニング部材３１に印加するクリーニング用のバイアス電圧を制御するクリーニングバイアス制御モジュール１４を備えている。そして、この制御モジュール１２には２次元プリンター１３５が２次元記録媒体上に画像を形成する動作を制御する機能を備えるものとなっている。
【０１７０】
上記モード切り換えモジュール１３は、印刷モード切り換え手段として機能するものであり、外部装置から入力される情報又は操作者が操作パネル等を用いて入力する情報に基づいて、通常印刷モードＭ１又は縁なし印刷モードＭ２等の複数の印刷モードから１つの印刷モードを選択し、各モードにしたがって画像が形成されるように制御を切り換えるものとなっている。
【０１７１】
上記クリーニングバイアス制御モジュール１４は、バイアス電圧制御手段として機能するものであり、上記モード切り換えモジュール１３において切り換えられた印刷モードに基づいて、第１のクリーニング用バイアス電源３３から第１のクリーニング部材３１に印加される電圧値を制御する。つまり、通常印刷モードＭ１に切り換えられたときには第１のバイアス電圧値Ｖ１が、縁なし印刷モードＭ２に切り換えられたときには第２のバイアス電圧値Ｖ２が印加されるように第１のクリーニング用バイアス電源３３の電圧調整部３４を動作させるものとなっている。
【０１７２】
上記第１のバイアス電圧値Ｖ１及び第２のバイアス電圧値Ｖ２は、予め設定されて記憶モジュール１５に記憶されており、縁なし印刷モードＭ２が実行されるときに印加される第２のバイアス電圧値Ｖ２は、通常印刷モードＭ１が実行されるときに印加される第１のバイアス電圧値Ｖ１より、二次転写ロール２６と第１のクリーニング部材３１との間の電位差を大きくするように設定されている。
本実施の形態では、第１のバイアス電圧値Ｖ１及び第２のバイアス電圧値Ｖ２は予め設定された一定値となっているが、実行される印刷モードに加えて温度又は湿度等の環境条件及びその他の条件等に基づいてバイアス電圧値を制御するものであってもよい。ただし、環境条件等が同じであるときには縁なし印刷モードＭ２時の第２のバイアス電圧値Ｖ２は、通常印刷モードＭ１時の第１のバイアス電圧値Ｖ１よりも電位差が大きくなるように制御される。
【０１７３】
２次元プリンター１３５は、次のように動作する。
４つの感光体ドラム１上にそれぞれ静電潜像が形成され、現像装置４からトナーが転移されてトナー像が形成される。これらのトナー像は一次転写ロール５との対向位置で中間転写ベルト２０上に転写され、中間転写ベルト２０上で重ね合わされてカラーのトナー像が形成される。このトナー像は中間転写ベルト２０の周回移動によって二次転写位置３０に搬送され、中間転写ベルト２０から２次元記録媒体Ｐに転写される。
このような画像形成動作が通常印刷モードＭ１で実行される場合は、トナー像は２次元記録媒体の寸法より小さい領域に形成され、二次転写位置３０において２次元記録媒体の外周部に余白を残すように転写される。中間転写ベルト２０上のトナー像が保持される範囲外の部分、例えば画像が保持される領域と次の画像が保持される領域と間の非画像領域には、わずかのいわゆるかぶりトナーが付着していることが多く、二次転写位置３０で２次元記録媒体と対向しない領域に付着しているトナーは、二次転写位置３０で二次転写ベルト２８上に転移する。二次転写ベルト２８は周回移動して、第１のバイアス電圧値Ｖ１が印加された第１のクリーニング部材３１との対向位置及び第２のクリーニング部材３２との対向位置を通過し、一部はこれらのクリーニング部材３１、３２によって除去される。また、一部はクリーニング部材３１、３２によって除去されず、二次転写ベルト２８上に残留するが、非画像領域に付着しているトナー量は少なく、直ちに２次元記録媒体の背面に汚れが生じることはない。
【０１７４】
一方、縁なし印刷モードＭ２で画像形成が行われる場合には、トナー像が２次元記録媒体の寸法より大きい範囲に形成され、二次転写位置３０で２次元記録媒体に転写されるときに、２次元記録媒体の外周縁から外側にはみ出し、はみ出したトナーが二次転写ベルト２８に転移される。このときに二次転写ベルト２８に付着するトナー量は通常印刷モード時のかぶりトナーよりも著しく多くなっている。また、非画像領域からは、通常印刷モードＭ１の実行時と同様にかぶりトナーが二次転写ベルト２８に付着する。そして、二次転写ベルト２８は周回移動して、第１のクリーニング部材３１及び第２のクリーニング部材３２との対向位置を通過し、一部はこれらのクリーニング部材３１、３２によって除去される。このとき、第１のクリーニング部材３１には、二次転写ロール２６との間の電位差が第１のバイアス電圧値Ｖ１の印加時より大きくなる第２のバイアス電圧値Ｖ２が印加され、第１のクリーニング部材３１が正極性側となっているので、二次転写ベルト２８上に付着した負帯電の多量のトナーは、主に第１のクリーニング部材３１によって除去される。なお、定着装置におけるクリーニングをクリーニング部材３１、３２が行う。また、クリーニング部材３１、３２は、ブラシ、ロール、ブレードであってもよい。
【０１７５】
縁なし印刷モードＭ２が実行される場合において、二次転写位置３０を通過する２次元記録媒体の外周縁からはみ出して二次転写ベルト２８に付着したトナーは、１回のクリーニング動作により除去されなければ２次元記録媒体の背面に付着してトナー汚れを生じさせる虞がある。
図２９は、縁なし印刷において、２次元記録媒体からはみ出して形成されたトナー像により２次元記録媒体の背面に汚れが生じる状態を説明する図である。
図２９（ａ）に示すように、縁なし印刷モードＭ２が実行されると、２次元記録媒体Ｐを挟み込んでトナー像を転写する二次転写位置３０では、中間転写ベルト２０上に保持されたトナー像Ｔ１が２次元記録媒体Ｐの寸法より大きく、先端側で２次元記録媒体Ｐの先端縁より前方側にはみ出す。この部分が二次転写位置３０を通過するときに、図２９（ｂ）に示すように、二次転写ベルト２８上に転写される。そして、二次転写ベルト２８の周回駆動にともなって第１のクリーニング部材３１及び第２のクリーニング部材３２との対向位置を通過するが、これらのクリーニング部材３１、３２により除去しきれないトナーが残留した場合、この残留したトナーＴ２は再度二次転写位置３０に到達する。二次転写ベルト２８の周長が２次元記録媒体Ｐの搬送方向の長さよりも短く形成されていると、図２９（ｃ）に示すように、残留したトナーＴ２が二次転写位置３０に達したときにはまだ２次元記録媒体Ｐの搬送方向における後方部が二次転写位置３０にあり、２次元記録媒体Ｐの背面に残留トナーＴ２が付着してしまう。
【０１７６】
したがって、縁なし印刷モードＭ２の場合において、２次元記録媒体Ｐの先端からはみ出して二次転写ベルト２８に付着したトナーＴ２は、第１のクリーニング部材３１及び第２のクリーニング部材３２との対向位置を一回通過するだけで、２次元記録媒体Ｐの背面のトナー汚れを許容できる程度に除去する必要がある。
【０１７７】
図３０は、本実施の形態（特に、縁なし制御モジュール２６２０）による処理例を示すフローチャートである。
ステップＳ３００２では、縁なし印刷制御モジュール２６２５は、縁なし印刷の指定があるか否かを判断し、縁なし印刷指定の場合はステップＳ３００４へ進み、それ以外の場合はステップＳ３０１４へ進む。
ステップＳ３００４では、縁なし印刷用定着装置検知モジュール２６３０は、縁なし印刷用定着装置が取り付けられていることを検知する。
ステップＳ３００６では、縁なし印刷用転写装置検知モジュール２６３５は、縁なし印刷用転写装置が取り付けられていることを検知する。
【０１７８】
ステップＳ３００８では、警告モジュール２６４０は、縁なし印刷用定着装置と縁なし印刷用転写装置の両方が取り付けられているか否かを判断し、両方が取り付けられている場合はステップＳ３０１６へ進み、それ以外の場合はステップＳ３０１０へ進む。
ステップＳ３０１０では、警告モジュール２６４０は、警告処理を行う。
ステップＳ３０１２では、縁なし印刷制限処理を行う。ステップＳ３０１２の詳細な処理については、図３２の例に示すフローチャートを用いて後述する。
ステップＳ３０１４では、画像形成処理モジュール２６１０は、通常処理を行う。例えば、縁あり印刷処理を行う。
ステップＳ３０１６では、画像形成処理モジュール２６１０は、前述した縁なし印刷通常処理を行う。
【０１７９】
図３１は、本実施の形態による処理例を示す説明図である。特に、図３０の例で示したフローチャート内のステップＳ３０１０の処理例を示す。
図３１（ａ）の例では、画面３１００に「現在、取り付けられている転写装置は、縁なし印刷用のものではありません。取り替えてください。」と表示し、はいボタン３１１０、いいえボタン３１２０を選択可能に表示する。そして、ユーザー２９０によって、はいボタン３１１０が選択された場合は、処理Ａ３１７２を行い、いいえボタン３１２０が選択された場合は、図３１（ｂ）の例に示す表示を行う。
処理Ａ３１７２として、「取り替えて問題がなければ、エラー表示されない。あるいは、利用可になった旨を表示して、縁なし印刷の機能を利用可にする。」の処理を行う。図３０の例で示したフローチャートで示すと、ステップＳ３００８で「Ｙ」となる判断の後、ステップＳ３０１６の処理を行う。
【０１８０】
図３１（ｂ）の例では、画面３１００に「故障や画質の低下の危険性がありますが、そのまま機能を利用しますか？」と表示し、はいボタン３１３０、いいえボタン３１４０を選択可能に表示する。そして、ユーザー２９０によって、はいボタン３１３０が選択された場合は処理Ｂ３１７４を行い、いいえボタン３１４０が選択された場合は処理Ｃ３１７６を行う。
処理Ｂ３１７４として、「縁なし印刷の機能を限定的に解除する。限定的として、例えば、今回のジョブ、又は、そのユーザー２９０のみに縁なし印刷を許可することがある。そして、今回のジョブ又はそのユーザー２９０の操作による印刷処理が終われば、また、利用不可の状態にする。」の処理を行う。図３０の例で示したフローチャートで示すと、ステップＳ３０１２の処理を行う。
処理Ｃ３１７６として、「ホーム画面に戻る。又は、再度、警告画面を表示する。」の処理を行う。
なお、縁なし印刷用の定着装置、縁なし印刷用の転写装置のいずれか一方がセットされている場合（他方はセットされていない場合）は、限定的に解除（縁なし印刷を許可）し、両方がセットされていない場合は、縁なし印刷を禁止するようにしてもよい。
【０１８１】
図３２は、本実施の形態による処理例を示すフローチャートである。
ステップＳ３２０２では、縁なし印刷の枚数の累計を算出する。前述したように、ユーザー毎、用紙サイズ毎等に枚数の累計を算出してもよい。例えば、縁なし印刷ログテーブル３３００を用いて、算出してもよい。図３３は、縁なし印刷ログテーブル３３００のデータ構造例を示す説明図である。縁なし印刷ログテーブル３３００は、日時欄３３１０、縁なし印刷枚数欄３３２０、用紙サイズ欄３３３０、白黒／カラー欄３３４０、ユーザー欄３３５０を有しており、縁なし印刷用の定着装置又は縁なし印刷用の転写装置がセットされていない状態での縁なし印刷の履歴（ログ）を記憶している。縁なし印刷枚数欄３３２０は、上辺欄３３２２、右辺欄３３２４、下辺欄３３２６、左辺欄３３２８を有している。日時欄３３１０は、縁なし印刷を行った日時を記憶している。縁なし印刷枚数欄３３２０は、その縁なし印刷の枚数を記憶している。上辺欄３３２２は、上辺の縁なし印刷の枚数を記憶している。右辺欄３３２４は、右辺の縁なし印刷の枚数を記憶している。下辺欄３３２６は、下辺の縁なし印刷の枚数を記憶している。左辺欄３３２８は、左辺の縁なし印刷の枚数を記憶している。もちろんのことながら、辺毎でなく、用紙全体に対しての縁なし印刷の枚数（１辺でも縁なし印刷を行った場合は、縁なし印刷であるとして計数した枚数）を記憶するようにしてもよい。用紙サイズ欄３３３０は、その縁なし印刷での用紙サイズを記憶している。白黒／カラー欄３３４０は、その縁なし印刷は白黒印刷であるか、カラー印刷であるかを示す情報を記憶している。ユーザー欄３３５０は、その縁なし印刷を行ったユーザー（ユーザーＩＤ）を記憶している。
【０１８２】
ステップＳ３２０４では、縁なし印刷指定の枚数を抽出する。なお、この処理は、辺毎に枚数を計数してもよい。
ステップＳ３２０６では、縁なし印刷の許可枚数を超えているか否かを判断し、超えている場合はステップＳ３２０８へ進み、それ以外の場合はステップＳ３２１０へ進む。その２次元プリンター１３５で、予め設定されている枚数（縁なし印刷用の定着装置又は縁なし印刷用の転写装置がセットされていない状態での縁なし印刷できる枚数）を閾値とする。なお、この処理は、辺毎に判断してもよい。
【０１８３】
ステップＳ３２０８では、不許可処理を行う。例えば、縁なし印刷はできない旨の表示を行う。
ステップＳ３２１０では、ユーザー毎の縁なし印刷の許可枚数を超えているか否かを判断し、超えている場合はステップＳ３２０８へ進み、それ以外の場合はステップＳ３２１２へ進む。例えば、ユーザー別許可枚数テーブル３４００を用いて、許可枚数を決定してもよい。図３４は、ユーザー別許可枚数テーブル３４００のデータ構造例を示す説明図である。ユーザー別許可枚数テーブル３４００は、ユーザー欄３４１０、縁なし印刷許可枚数欄３４２０を有している。ユーザー欄３４１０は、ユーザーを記憶している。縁なし印刷許可枚数欄３４２０は、そのユーザーにおける縁なし印刷の許可枚数を記憶している。この例は、ユーザー毎に許可枚数を設定しているが、用紙サイズ毎等に応じて許可枚数を設定してもよい。
なお、辺毎に縁なし印刷の指定ができる場合は、縁なし印刷許可枚数欄３４２０は、縁なし印刷可能な辺数としてもよい。さらに、上辺、右辺、下辺、左辺毎に縁なし印刷の可能な辺数としてもよい。そして、ステップＳ３２１０の処理は、辺毎に判断してもよい。
ステップＳ３２１２では、縁なし印刷用画像形成処理を行う。ステップＳ３２１２の詳細な処理については、図３５の例に示すフローチャートを用いて後述する。
【０１８４】
図３５は、本実施の形態による処理例を示すフローチャートである。
ステップＳ３５０２では、縁なし印刷用画像の画像生成処理を行う。ステップＳ３５０２の詳細な処理については、図３６の例に示すフローチャートを用いて後述する。
ステップＳ３５０４では、縁なし印刷用印刷処理を行う。ステップＳ３５０４の詳細な処理については、図３７の例に示すフローチャートを用いて後述する。
【０１８５】
図３６は、本実施の形態による処理例を示すフローチャートである。
ステップＳ３６０２では、周辺部分の特定処理を行う。例えば、予め定められた領域（縁から予め定められた幅の部分）を特定する。
ステップＳ３６０４では、濃度変更処理を行う。例えば、周辺部の濃度を一様に下げるのではなく、縁に向かって濃度を下げる量を多くしてもよい。
【０１８６】
図３７は、本実施の形態による処理例を示すフローチャートである。
ステップＳ３７０２では、転写装置が取り付けられていないか否かを判断し、取り付けられていない場合はステップＳ３７０４へ進み、それ以外の場合はステップＳ３７０６へ進む。
ステップＳ３７０４では、転写装置のクリーニング回数を設定する。
ステップＳ３７０６では、定着装置が取り付けられていないか否かを判断し、取り付けられていない場合はステップＳ３７０８へ進み、それ以外の場合はステップＳ３７１０へ進む。
ステップＳ３７０８では、定着装置のクリーニング回数を設定する。
ステップＳ３７１０では、縁なし印刷の処理を行う。
【０１８７】
図３８を参照して、本実施の形態（情報処理装置１００、２次元プリンター１３５、画像形成指示モジュール１９００等）のハードウェア構成例について説明する。図３８に示す構成は、例えばパーソナルコンピュータ（ＰＣ）等によって構成されるものであり、スキャナー等のデータ読み取り部３８１７と、プリンター等のデータ出力部３８１８を備えたハードウェア構成例を示している。
【０１８８】
ＣＰＵ（Ｃｅｎｔｒａｌ  Ｐｒｏｃｅｓｓｉｎｇ  Ｕｎｉｔ）３８０１は、前述の実施の形態において説明した各種のモジュール、すなわち、動き検知モジュール１０５、画像提示モジュール１１５、出力指示受付モジュール１２０、出力制御モジュール１２５、出力用画像出力モジュール１３０、画像生成モジュール３３０、提示・検知モジュール３１０、提示モジュール３１５、眼球検知モジュール３２０、印刷データ受付モジュール１９０５、印刷属性設定モジュール１９１０、外縁検査モジュール１９１５、画像生成過程検知モジュール１９２０、選択モジュール１９２５、提示モジュール１９３０、印刷指示モジュール１９３５、画像形成処理モジュール２６１０、制御モジュール１２、縁なし印刷制御モジュール２６２５、縁なし印刷用定着装置検知モジュール２６３０、縁なし印刷用転写装置検知モジュール２６３５、警告モジュール２６４０、縁なし画像形成処理モジュール２６４５、印刷制限処理モジュール２６５０、縁なし印刷用ソフトウェア確認モジュール２６５５、縁なし印刷用ソフトウェア導入モジュール２６６０、通信モジュール２６６５等の各モジュールの実行シーケンスを記述したコンピュータ・プログラムにしたがった処理を実行する制御部である。
【０１８９】
ＲＯＭ（Ｒｅａｄ  Ｏｎｌｙ  Ｍｅｍｏｒｙ）３８０２は、ＣＰＵ３８０１が使用するプログラムや演算パラメータ等を格納する。ＲＡＭ（Ｒａｎｄｏｍ  Ａｃｃｅｓｓ  Ｍｅｍｏｒｙ）３８０３は、ＣＰＵ３８０１の実行において使用するプログラムや、その実行において適宜変化するパラメータ等を格納する。これらはＣＰＵバス等から構成されるホストバス３８０４により相互に接続されている。
【０１９０】
ホストバス３８０４は、ブリッジ３８０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バス等の外部バス３８０６に接続されている。
【０１９１】
キーボード３８０８、マウス等のポインティングデバイス３８０９は、操作者により操作されるデバイスである。ディスプレイ３８１０は、画像提示モジュール１１５、液晶表示装置又はＣＲＴ（Ｃａｔｈｏｄｅ  Ｒａｙ  Ｔｕｂｅ）等があり、各種情報をテキストやイメージ情報として表示する。また、ポインティングデバイス３８０９とディスプレイ３８１０の両方の機能を備えているタッチスクリーン等であってもよい。その場合、キーボードの機能の実現について、キーボード３８０８のように物理的に接続しなくても、画面（タッチスクリーン）上にソフトウェアでキーボード（いわゆるソフトウェアキーボード、スクリーンキーボード等ともいわれる）を描画して、キーボードの機能を実現するようにしてもよい。
【０１９２】
ＨＤＤ（Ｈａｒｄ  Ｄｉｓｋ  Ｄｒｉｖｅ）３８１１は、ハードディスク（フラッシュ・メモリ等であってもよい）を内蔵し、ハードディスクを駆動し、ＣＰＵ３８０１によって実行するプログラムや情報を記録又は再生させる。ハードディスクは、画像記憶モジュール１１０等としての機能を実現させる。さらに、その他の各種データ（出力用の画像データ等）、各種コンピュータ・プログラム等が格納される。
【０１９３】
ドライブ３８１２は、装着されている磁気ディスク、光ディスク、光磁気ディスク、又は半導体メモリ等のリムーバブル記録媒体３８１３に記録されているデータ又はプログラムを読み出して、そのデータ又はプログラムを、インターフェース３８０７、外部バス３８０６、ブリッジ３８０５、及びホストバス３８０４を介して接続されているＲＡＭ３８０３に供給する。なお、リムーバブル記録媒体３８１３も、データ記録領域として利用可能である。
【０１９４】
接続ポート３８１４は、外部接続機器３８１５を接続するポートであり、ＵＳＢ、ＩＥＥＥ１３９４等の接続部を持つ。接続ポート３８１４は、インターフェース３８０７、及び外部バス３８０６、ブリッジ３８０５、ホストバス３８０４等を介してＣＰＵ３８０１等に接続されている。通信部３８１６は、通信回線に接続され、外部とのデータ通信処理を実行する。データ読み取り部３８１７として、例えばマイク等がある。データ出力部３８１８として、例えば２次元プリンター１３５、３次元プリンター１４０、電子画像ファイル生成モジュール１４５、スピーカー等がある。
【０１９５】
なお、図３８に示す情報処理装置１００等のハードウェア構成は、１つの構成例を示すものであり、本実施の形態は、図３８に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）等）で構成してもよく、一部のモジュールは外部のシステム内にあり通信回線で接続している形態でもよく、さらに図３８に示すシステムが複数互いに通信回線によって接続されていて互いに協調動作するようにしてもよい。
【０１９６】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通等のために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ（登録商標）  Ｄｉｓｃ）、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
そして、前記のプログラムの全体又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、又は無線通信ネットワーク、さらにこれらの組み合わせ等の伝送媒体を用いて伝送させてもよく、また、搬送波に乗せて搬送させてもよい。
さらに、前記のプログラムは、他のプログラムの一部分若しくは全部であってもよく、又は別個のプログラムと共に記録媒体に記録されていてもよい。また、複数の記録媒体に分割して記録されていてもよい。また、圧縮や暗号化等、復元可能であればどのような態様で記録されていてもよい。
【０１９７】
また、本実施の形態は、以下の画像形成装置と組み合わせてもよい。つまり、２次元プリンター１３５として、以下の画像形成装置としてもよい。
（ａ）トナー像を保持する像保持体と、
周回移動する無端状の周面が前記像保持体と対向するように配置され、前記像保持体との間を通過する記録媒体に前記トナー像を転写する電界が、前記像保持体との間に形成される転写部材と、
前記転写部材の周面に接触するように配置され、該転写部材の表面に付着したトナーを除去するクリーニング部材と、
前記クリーニング部材と前記転写部材との間にクリーニング用のバイアス電圧を印加するクリーニングバイアス印加手段と、
前記トナー像が、記録媒体の全面に転写される縁なし印刷モードと、記録媒体の外周部に余白を残して転写される通常印刷モードと、を含む複数の印刷モードからいずれかを選択して切り換える印刷モード切り換え手段と、
前記クリーニングバイアス印加手段により印加される前記クリーニング用のバイアス電圧を、前記通常印刷モード時には第１のバイアス電圧値とし、前記縁なし印刷モード時には、前記クリーニング部材と前記転写部材との間の電位差を前記第１のバイアス電圧値の印加時より大きくする第２のバイアス電圧値とするように制御するバイアス電圧制御手段と、を有し、
前記縁なし印刷モードによる画像の形成が連続して実行されるときには、予め定められた条件となるまで複数枚の縁なし画像を形成した後、前記クリーニング部材と前記転写部材との間に印加されている前記第２のバイアス電圧値を前記第１のバイアス電圧値に切り換え、該第１のバイアス電圧値が印加された状態で前記転写部材の周面を周回駆動するように設定されていることを特徴とする画像形成装置。
【０１９８】
（ｂ）前記縁なし印刷モードによる画像の形成が連続して実行されるときには、前記第２のバイアス電圧値を前記第１のバイアス電圧値に切り換え、該第１のバイアス電圧値が印加された状態で前記転写部材の周面を周回駆動した後に、前記第２のバイアス電圧値に切り換えて前記縁なし印刷モードによる画像の形成を再開するように設定されていることを特徴とする（ａ）項に記載の画像形成装置。
【０１９９】
以下の効果を有している。
（ａ）項の画像形成装置では、本構成を備えていない装置と比較して、縁なし印刷モードで画像形成を連続して行う場合も、トナー像が転写された記録媒体の背面がトナーで汚れることを抑制することができる。
【０２００】
（ｂ）項の画像形成装置では、本構成を備えていない装置と比較して、縁なし印刷モードで画像形成を連続して行う場合も、トナー像が転写された記録媒体の背面がトナーで汚れることを抑制することができる。
【０２０１】
前述の実施の形態は以下のように把握してもよい。
例えば、課題として以下のものがある。
ＶＲ（Ｖｉｒｔｕａｌ  Ｒｅａｌｉｔｙ）技術の一つとしてヘッドマウントディスプレイ等を利用して、人間の感覚器官のうち主に視覚に働きかけて、現実感のある環境を人工的に作り出すことが行われている。
そのヘッドマウントディスプレイ等で提示されている画像を印刷したいとする要望がある。
本発明は、ユーザーの動作方向に連動して提示する画像を変更する機器が画像の出力指示を受け付けた場合に、画像の出力が可能な情報処理装置及び情報処理プログラムを提供することを目的としている。
【０２０２】
［Ａ１］ユーザーの動作方向に連動して該ユーザーの視野に提示する画像を変更する機器が該画像の出力指示を受け付けた場合、該出力指示を受けたときに該ユーザーに向けて提示している領域の画像を出力するように制御する制御手段
を有する情報処理装置。
【０２０３】
［Ａ２］前記制御手段は、前記画像の電子画像ファイルを生成するモジュールに対して、該画像を出力する、
［Ａ１］に記載の情報処理装置。
【０２０４】
［Ａ３］前記制御手段は、前記画像から３次元立体物を生成するモジュールに対して、該画像を出力する、
［Ａ１］に記載の情報処理装置。
【０２０５】
［Ａ４］前記ユーザーの視野に提示している領域内に３次元データが含まれている場合は、少なくとも該３次元データを出力先に出力する、
［Ａ３］に記載の情報処理装置。
【０２０６】
［Ａ５］前記制御手段は、前記画像を２次元記録媒体上に印刷するモジュールに対して、該画像を出力する、
［Ａ１］に記載の情報処理装置。
【０２０７】
［Ａ６］前記出力指示を受け付けた場合、前記２次元記録媒体に出力する画像形式を縁なしとする、
［Ａ５］に記載の情報処理装置。
【０２０８】
［Ａ７］前記出力指示を受け付けた場合、出力先が縁なし印刷可能であるか否かに応じて、前記２次元記録媒体に出力する画像形式を決定する、
［Ａ５］に記載の情報処理装置。
【０２０９】
［Ａ８］前記出力指示を受け付けた場合、出力先が縁なし印刷可能である場合は、前記２次元記録媒体に出力する画像形式を縁なしとする、
［Ａ７］に記載の情報処理装置。
【０２１０】
［Ａ９］前記出力指示を受け付けた場合、出力先が縁なし印刷可能ではない場合は、前記２次元記録媒体に出力する画像形式を縁ありとする、
［Ａ７］に記載の情報処理装置。
【０２１１】
［Ａ１０］前記機器が提示する画像の表示領域の縁に画像非表示領域が存在する場合に、前記出力指示を受け付けると、縁あり画像を優先的に出力する、
［Ａ１］に記載の情報処理装置。
【０２１２】
［Ａ１１］前記機器が提示する画像の表示領域の縁に画像非表示領域が存在しない場合に、前記出力指示を受け付けると、縁なし画像を優先的に出力する、
［Ａ１］に記載の情報処理装置。
【０２１３】
［Ａ１２］コンピュータを、
ユーザーの動作方向に連動して該ユーザーの視野に提示する画像を変更する機器が該画像の出力指示を受け付けた場合、該出力指示を受けたときに該ユーザーに向けて提示している領域の画像を出力するように制御する制御手段
として機能させるための情報処理プログラム。
【０２１４】
そして、前述の発明は、以下の効果を有する。
［Ａ１］の情報処理装置によれば、ユーザーの動作方向に連動して提示する画像を変更する機器が画像の出力指示を受け付けた場合に、画像の出力を可能とすることができる。
【０２１５】
［Ａ２］の情報処理装置によれば、画像の電子画像ファイルを生成させることができる。
【０２１６】
［Ａ３］の情報処理装置によれば、３次元立体物を生成させることができる。
【０２１７】
［Ａ４］の情報処理装置によれば、ユーザーが見ている領域内に３次元データが含まれている場合は、その３次元データを出力先に出力することができる。
【０２１８】
［Ａ５］の情報処理装置によれば、画像の２次元記録媒体を生成させることができる。
【０２１９】
［Ａ６］の情報処理装置によれば、２次元記録媒体に出力する画像形式を縁なしとすることができる。
【０２２０】
［Ａ７］の情報処理装置によれば、出力先が縁なし印刷可能であるか否かに応じて、２次元記録媒体に出力する画像形式を決定することができる。
【０２２１】
［Ａ８］の情報処理装置によれば、出力先が縁なし印刷可能である場合は、２次元記録媒体に出力する画像形式を縁なしとすることができる。
【０２２２】
［Ａ９］の情報処理装置によれば、出力先が縁なし印刷可能ではない場合は、２次元記録媒体に出力する画像形式を縁ありとすることができる。
【０２２３】
［Ａ１０］の情報処理装置によれば、機器が提示する画像の表示領域の縁に画像非表示領域が存在する場合に、縁あり画像を優先的に出力することができる。
【０２２４】
［Ａ１１］の情報処理装置によれば、機器が提示する画像の表示領域の縁に画像非表示領域が存在しない場合に、縁なし画像を優先的に出力することができる。
【０２２５】
［Ａ１２］の情報処理プログラムによれば、ユーザーの動作方向に連動して提示する画像を変更する機器が画像の出力指示を受け付けた場合に、画像の出力を可能とすることができる。
【０２２６】
また、前述の実施の形態は以下のように把握してもよい。
例えば、課題として以下のものがある。
縁なし印刷ができる画像形成装置に印刷指示を行う場合において、縁なし印刷用の設定と非縁なし印刷用の設定のいずれかを選択することが可能になっている。この設定は、操作者の操作によって、いずれかが選択される。操作者にとっては、この選択操作が必要となり、縁なし印刷ができない画像形成装置で操作を行う場合に比べて煩雑となる。
本発明は、縁なし印刷ができる画像形成装置に対して印刷指示を行う場合において、縁なし印刷用の設定に関する操作を容易にすることができる画像形成指示装置及び画像形成指示プログラムを提供することを目的としている。
【０２２７】
［Ｂ１］印刷データに基づいて、縁なし印刷用の設定と非縁なし印刷用の設定のいずれかを選択する選択手段
を有する画像形成指示装置。
【０２２８】
［Ｂ２］前記選択手段は、前記印刷データの外縁の画像に基づいて、縁なし印刷用の設定と非縁なし印刷用の設定のいずれかを選択する、
［Ｂ１］に記載の画像形成指示装置。
【０２２９】
［Ｂ３］前記選択手段は、前記印刷データの外縁に画像がある場合は、縁なし印刷用の設定を選択する、
［Ｂ２］に記載の画像形成指示装置。
【０２３０】
［Ｂ４］前記選択手段は、前記印刷データの外縁に画像がない場合は、非縁なし印刷用の設定を選択する、
［Ｂ２］に記載の画像形成指示装置。
【０２３１】
［Ｂ５］前記選択手段は、縁なし印刷用の設定又は非縁なし印刷用の設定を、前記印刷データの縁毎に選択できる、
［Ｂ１］に記載の画像形成指示装置。
【０２３２】
［Ｂ６］前記印刷データに対して、縁なし印刷用の設定と非縁なし印刷用の設定が混在する場合は、非縁なし印刷用の設定がされた縁を先頭にした画像を生成する生成手段
をさらに有する［Ｂ５］に記載の画像形成指示装置。
【０２３３】
［Ｂ７］前記生成手段は、前記印刷データを回転することによって、非縁なし印刷用の設定がされた縁を先頭にした画像を生成する、
［Ｂ６］に記載の画像形成指示装置。
【０２３４】
［Ｂ８］前記選択手段は、前記印刷データの生成過程に基づいて、縁なし印刷用の設定と非縁なし印刷用の設定のいずれかを選択する、
［Ｂ１］に記載の画像形成指示装置。
【０２３５】
［Ｂ９］前記選択手段は、前記印刷データがスクリーンショットによって生成された画像である場合は、縁なし印刷用の設定を選択する、
［Ｂ８］に記載の画像形成指示装置。
【０２３６】
［Ｂ１０］前記選択手段による選択結果を提示する提示手段
をさらに有する［Ｂ１］に記載の画像形成指示装置。
【０２３７】
［Ｂ１１］前記提示手段は、前記選択結果を、操作者によって変更可能に提示する、
［Ｂ１０］に記載の画像形成指示装置。
【０２３８】
［Ｂ１２］コンピュータを、
印刷データに基づいて、縁なし印刷用の設定と非縁なし印刷用の設定のいずれかを選択する選択手段
として機能させるための画像形成指示プログラム。
【０２３９】
そして、前述の発明は、以下の効果を有する。
［Ｂ１］の画像形成指示装置によれば、縁なし印刷ができる画像形成装置に対して印刷指示を行う場合において、縁なし印刷用の設定に関する操作を容易にすることができる。
【０２４０】
［Ｂ２］の画像形成指示装置によれば、縁なし印刷用の設定と非縁なし印刷用の設定のいずれかの選択を、印刷データの外縁の画像を用いて行うことができる。
【０２４１】
［Ｂ３］の画像形成指示装置によれば、印刷データの外縁に画像がある場合は、縁なし印刷用の設定を選択することができる。
【０２４２】
［Ｂ４］の画像形成指示装置によれば、印刷データの外縁に画像がない場合は、非縁なし印刷用の設定を選択することができる。
【０２４３】
［Ｂ５］の画像形成指示装置によれば、印刷データの縁毎に、縁なし印刷用の設定又は非縁なし印刷用の設定を選択することができる。
【０２４４】
［Ｂ６］の画像形成指示装置によれば、印刷データに対して、縁なし印刷用の設定と非縁なし印刷用の設定が混在する場合は、非縁なし印刷用の設定がされた縁を先頭にした画像を生成することができる。
【０２４５】
［Ｂ７］の画像形成指示装置によれば、印刷データを回転して、非縁なし印刷用の設定がされた縁を先頭にした画像を生成することができる。
【０２４６】
［Ｂ８］の画像形成指示装置によれば、縁なし印刷用の設定と非縁なし印刷用の設定のいずれかの選択を、印刷データの生成過程を用いて行うことができる。
【０２４７】
［Ｂ９］の画像形成指示装置によれば、スクリーンショットによって生成された印刷データである場合は、縁なし印刷用の設定を選択することができる。
【０２４８】
［Ｂ１０］の画像形成指示装置によれば、選択結果を提示することができる。
【０２４９】
［Ｂ１１］の画像形成指示装置によれば、選択結果を、操作者によって変更可能に提示することができる。
【０２５０】
［Ｂ１２］の画像形成指示プログラムによれば、縁なし印刷ができる画像形成装置に対して印刷指示を行う場合において、縁なし印刷用の設定に関する操作を容易にすることができる。
【０２５１】
また、前述の実施の形態は以下のように把握してもよい。
［Ｃ１］縁なし印刷用の定着装置又は転写装置が取り替え可能であって、縁なし印刷機能を利用する場合、前記定着装置又は転写装置が縁なし印刷用でないときには、警告を行う警告手段
を有する画像形成装置。
【０２５２】
［Ｃ２］前記警告が行われた場合、縁なし印刷機能の利用を制限する
［Ｃ１］に記載の画像形成装置。
【０２５３】
［Ｃ３］前記縁なし印刷機能の利用制限は、利用回数又はユーザーの制限である
［Ｃ２］に記載の画像形成装置。
【０２５４】
［Ｃ４］縁なし印刷用の定着装置又は転写装置が取り付けられておらず、縁なし印刷機能の指定を受け付けた場合、縁なし印刷用の定着装置及び転写装置が取り付けられている場合とは異なる画像形成処理を行う画像形成処理手段
を有する画像形成装置。
【０２５５】
［Ｃ５］前記異なる画像形成処理は、縁である周辺部の画像の濃度を下げることである
［Ｃ４］に記載の画像形成装置。
【０２５６】
［Ｃ６］前記異なる画像形成処理は、前記転写装置又は前記定着装置のクリーニング頻度を、前記縁なし印刷用の定着装置及び転写装置を装着した場合と比べて多く実行することである
［Ｃ４］に記載の画像形成装置。
【０２５７】
［Ｃ７］縁なし印刷用の定着装置及び転写装置が取り付けられた場合、縁なし印刷を利用可能なソフトウェアが導入されているか否かを確認する確認手段
をさらに有することを特徴とする［Ｃ１］から［Ｃ６］のいずれか一項に記載の画像形成装置。
【０２５８】
［Ｃ８］前記縁なし印刷を利用可能なソフトウェアが導入されていない場合、通信回線を介して当該ソフトウェアを導入する導入手段
をさらに有する［Ｃ７］に記載の画像形成装置。
【０２５９】
［Ｃ９］画像形成装置内のコンピュータを、
縁なし印刷用の定着装置又は転写装置が取り替え可能であって、縁なし印刷機能を利用する場合、前記定着装置又は転写装置が縁なし印刷用でないときには、警告を行う警告手段
として機能させる情報処理プログラム。
【０２６０】
［Ｃ１０］画像形成装置内のコンピュータを、
縁なし印刷用の定着装置又は転写装置が取り付けられておらず、縁なし印刷機能の指定を受け付けた場合、縁なし印刷用の定着装置及び転写装置が取り付けられている場合とは異なる画像形成処理を行う画像形成処理手段
として機能させる情報処理プログラム。
【０２６１】
そして、前述の発明は、以下の効果を有する。
［Ｃ１］の画像形成装置によれば、縁なし印刷に適した転写装置、定着装置が取り付けられていない場合は、ユーザーに知らせることができる。
【０２６２】
［Ｃ２］の画像形成装置によれば、縁なし印刷用でない定着装置又は転写装置である場合に、縁なし印刷機能の利用を制限することができる。
【０２６３】
［Ｃ３］の画像形成装置によれば、利用回数又はユーザーにしたがって、縁なし印刷の利用を制限できる。
【０２６４】
［Ｃ４］の画像形成装置によれば、縁なし印刷を行うことによる画質の低下、故障等を防ぐことができる。
【０２６５】
［Ｃ５］の画像形成装置によれば、クリーニングの負荷を減らすことができる。
【０２６６】
［Ｃ６］の画像形成装置によれば、縁なし印刷によるクリーニング漏れを減少させることができる。
【０２６７】
［Ｃ７］の画像形成装置によれば、縁なし印刷用の定着装置及び転写装置が取り付けられたにもかかわらず、縁なし印刷を利用可能なソフトウェアが導入されていないことを防ぐことができるようになる。
【０２６８】
［Ｃ８］の画像形成装置によれば、縁なし印刷用の定着装置及び転写装置が取り付けられた場合、縁なし印刷を利用可能なソフトウェアを導入することができる。
【０２６９】
［Ｃ９］の情報処理プログラムによれば、縁なし印刷に適した転写装置、定着装置が取り付けられていない場合は、ユーザーに知らせることができる。
【０２７０】
［Ｃ１０］の情報処理プログラムによれば、縁なし印刷を行うことによる画質の低下、故障等を防ぐことができる。
【０２７１】
また、前述の実施の形態は以下のように把握してもよい。
［Ｄ１］縁なし印刷用の定着装置又は転写装置が取り替え可能であって、縁なし印刷機能を利用する場合、前記定着装置又は転写装置が縁なし印刷用でないときには、警告を行う警告手段
を有し、
前記警告が行われた場合、縁なし印刷機能の利用回数又はユーザーの利用制限を行う
画像形成装置。
【０２７２】
［Ｄ２］縁なし印刷用の定着装置又は転写装置が取り付けられておらず、縁なし印刷機能の指定を受け付けた場合、縁なし印刷用の定着装置及び転写装置が取り付けられている場合とは異なる画像形成処理を行う画像形成処理手段
を有する画像形成装置。
【０２７３】
［Ｄ３］前記異なる画像形成処理は、縁である周辺部の画像の濃度を下げることである
［Ｄ２］に記載の画像形成装置。
【０２７４】
［Ｄ４］前記異なる画像形成処理は、前記転写装置又は前記定着装置のクリーニング頻度を、前記縁なし印刷用の定着装置及び転写装置を装着した場合と比べて多く実行することである
［Ｄ２］に記載の画像形成装置。
【０２７５】
［Ｄ５］縁なし印刷用の定着装置及び転写装置が取り付けられた場合、縁なし印刷を利用可能なソフトウェアが導入されているか否かを確認する確認手段
をさらに有することを特徴とする［Ｄ１］から［Ｄ４］のいずれか一項に記載の画像形成装置。
【０２７６】
［Ｄ６］前記縁なし印刷を利用可能なソフトウェアが導入されていない場合、通信回線を介して当該ソフトウェアを導入する導入手段
をさらに有する［Ｄ５］に記載の画像形成装置。
【０２７７】
［Ｄ７］画像形成装置内のコンピュータを、
縁なし印刷用の定着装置又は転写装置が取り替え可能であって、縁なし印刷機能を利用する場合、前記定着装置又は転写装置が縁なし印刷用でないときには、警告を行う警告手段
として機能させ、
前記警告が行われた場合、縁なし印刷機能の利用回数又はユーザーの利用制限を行う
情報処理プログラム。
【０２７８】
［Ｄ８］画像形成装置内のコンピュータを、
縁なし印刷用の定着装置又は転写装置が取り付けられておらず、縁なし印刷機能の指定を受け付けた場合、縁なし印刷用の定着装置及び転写装置が取り付けられている場合とは異なる画像形成処理を行う画像形成処理手段
として機能させる情報処理プログラム。
【０２７９】
そして、前述の発明は、以下の効果を有する。
［Ｄ１］の画像形成装置によれば、縁なし印刷に適した転写装置、定着装置が取り付けられていない場合は、ユーザーに知らせることができる。そして、利用回数又はユーザーにしたがって、縁なし印刷の利用を制限できる。
【０２８０】
［Ｄ２］の画像形成装置によれば、縁なし印刷を行うことによる画質の低下、故障等を防ぐことができる。
【０２８１】
［Ｄ３］の画像形成装置によれば、クリーニングの負荷を減らすことができる。
【０２８２】
［Ｄ４］の画像形成装置によれば、縁なし印刷によるクリーニング漏れを減少させることができる。
【０２８３】
［Ｄ５］の画像形成装置によれば、縁なし印刷用の定着装置及び転写装置が取り付けられたにもかかわらず、縁なし印刷を利用可能なソフトウェアが導入されていないことを防ぐことができるようになる。
【０２８４】
［Ｄ６］の画像形成装置によれば、縁なし印刷用の定着装置及び転写装置が取り付けられた場合、縁なし印刷を利用可能なソフトウェアを導入することができる。
【０２８５】
［Ｄ７］の情報処理プログラムによれば、縁なし印刷に適した転写装置、定着装置が取り付けられていない場合は、ユーザーに知らせることができる。そして、利用回数又はユーザーにしたがって、縁なし印刷の利用を制限できる。
【０２８６】
［Ｄ８］の情報処理プログラムによれば、縁なし印刷を行うことによる画質の低下、故障等を防ぐことができる。
【符号の説明】
【０２８７】
１００…情報処理装置
１０５…動き検知モジュール
１１０…画像記憶モジュール
１１５…画像提示モジュール
１２０…出力指示受付モジュール
１２５…出力制御モジュール
１３０…出力用画像出力モジュール
１３５…２次元プリンター
１４０…３次元プリンター
１４５…電子画像ファイル生成モジュール
２００…仮想現実ディスプレイ装置
２９０…ユーザー
３１０…提示・検知モジュール
３１５…提示モジュール
３２０…眼球検知モジュール
３３０…画像生成モジュール
１９００…画像形成指示モジュール
１９０５…印刷データ受付モジュール
１９１０…印刷属性設定モジュール
１９１５…外縁検査モジュール
１９２０…画像生成過程検知モジュール
１９２５…選択モジュール
１９３０…提示モジュール
１９３５…印刷指示モジュール
２６１０…画像形成処理モジュール
２６２０…縁なし制御モジュール
２６２５…縁なし印刷制御モジュール
２６３０…縁なし印刷用定着装置検知モジュール
２６３５…縁なし印刷用転写装置検知モジュール
２６４０…警告モジュール
２６４５…縁なし画像形成処理モジュール
２６５０…印刷制限処理モジュール
２６５５…縁なし印刷用ソフトウェア確認モジュール
２６６０…縁なし印刷用ソフトウェア導入モジュール
２６６５…通信モジュール
１２…制御モジュール
【図１】
2019105893.tif 000003
【図２】
2019105893.tif 000004
【図３】
2019105893.tif 000005
【図４】
2019105893.tif 000006
【図５】
2019105893.tif 000007
【図６】
2019105893.tif 000008
【図７】
2019105893.tif 000009
【図８】
2019105893.tif 000010
【図９】
2019105893.tif 000011
【図１０】
2019105893.tif 000012
【図１１】
2019105893.tif 000013
【図１２】
2019105893.tif 000014
【図１３】
2019105893.tif 000015
【図１４】
2019105893.tif 000016
【図１５】
2019105893.tif 000017
【図１６】
2019105893.tif 000018
【図１７】
2019105893.tif 000019
【図１８】
2019105893.tif 000020
【図１８Ｂ】
2019105893.tif 000021
【図１９】
2019105893.tif 000022
【図２０】
2019105893.tif 000023
【図２１】
2019105893.tif 000024
【図２２】
2019105893.tif 000025
【図２３】
2019105893.tif 000026
【図２４】
2019105893.tif 000027
【図２５】
2019105893.tif 000028
【図２６】
2019105893.tif 000029
【図２７】
2019105893.tif 000030
【図２８】
2019105893.tif 000031
【図２９】
2019105893.tif 000032
【図３０】
2019105893.tif 000033
【図３１】
2019105893.tif 000034
【図３２】
2019105893.tif 000035
【図３３】
2019105893.tif 000036
【図３４】
2019105893.tif 000037
【図３５】
2019105893.tif 000038
【図３６】
2019105893.tif 000039
【図３７】
2019105893.tif 000040
【図３８】
2019105893.tif 000041